(57)【特許請求の範囲】
【請求項１】
複数種類の図柄が表示された複数の回胴を有し、各回胴の停止時の図柄の組合せにより遊技結果を導出表示する遊技結果表示手段と、
遊技用価値を利用した単位遊技に対する規定賭数として複数の遊技用価値が設定されることによる単位遊技開始条件の下、各回胴を回転始動させるための始動手段と、
各回胴のそれぞれに対応して設けられ、前記回胴の回転を個別に停止させるための複数の停止手段と、
前記始動手段の開始操作を契機に、複数種類の役を対象に抽選を行い、当選役を決定する役抽選手段と、
前記停止手段の停止操作を契機に、前記当選役に対応する図柄の組合せが前記遊技結果として導出表示されうるように回胴を停止制御する停止制御手段と、
前記遊技結果に応じて、遊技用価値を付与するための遊技価値付与手段と、
演出手段に対して遊技に関連する演出を現出制御する演出制御手段と、
を備える回胴式遊技機において、
前記演出制御手段は、前記演出手段による演出として、前記遊技価値付与手段による遊技用価値の付与に対応して払出演出を現出制御可能な払出演出制御手段を含み、
前記払出演出制御手段は、
前記規定賭数以上の遊技用価値の付与を伴う第１の図柄の組合せが前記遊技結果として導出表示された場合には前記払出演出を現出させる一方、前記規定賭数未満の１遊技用価値の付与を伴う前記第２の図柄の組合せが前記遊技結果として導出表示された場合には前記払出演出を現出させないように制御し、
前記第２の図柄の組合せは、同一の図柄揃いではない、
ことを特徴とする回胴式遊技機。
【発明の詳細な説明】
【技術分野】
【０００１】
本発明は、回胴式遊技機の遊技動作制御に関する。
【背景技術】
【０００２】
一般に、回胴式遊技機は、役に関する抽選（内部抽選）を行うと共に、その回胴装置の種々の図柄が施された複数の回胴を回転開始することで単位遊技を開始し、その各回胴の停止時の図柄の組合せに応じた入賞を発生させることで単位遊技（１ゲーム）を終える。この単位遊技中においては、内部抽選により役に当選しても、直ちに入賞が確定したものとはならない。遊技者は、目押し操作あるいは押し順操作を慎重に行なうことによって、遊技結果である表示態様が特定の表示態様となった場合に、入賞による配当（たとえば、所定枚数の遊技メダル）を得ることができる。
【０００３】
この種の回胴式遊技機では、遊技メダルの払い出しを伴う役が入賞すると、その遊技メダルの払い出しに伴い、所定の払出演出（たとえば、メダル払出音）が現出されるようになっている（たとえば、下記特許文献１）。
【先行技術文献】
【特許文献】
【０００４】
【特許文献１】特開２０１１−１３０８１７号公報
【発明の概要】
【発明が解決しようとする課題】
【０００５】
ところで近年では、当選により入賞が許容される図柄の組合せ（入賞役）を複数種類定め、各回胴を停止させる停止操作手順（たとえば、押し順）に応じて、配当が多く得られる図柄の組合せ（有利入賞役）か、それよりも配当が少ない図柄の組合せ（不利入賞役）が遊技結果として導出表示されるようにし、停止操作手順に応じて入賞役を異ならせた押順規定役を設け、所謂、ＡＴ（アシストタイム）が発生すると、配当の高い有利入賞役を獲得させるようにして、遊技内容の豊富化を図っているものが主流である。
【０００６】
上記のような押順規定役を設けるに際して、遊技性の関係上、たとえば、不利入賞役の配当を著しく少なくし（たとえば、配当が遊技メダル１枚）、通常遊技中は不利入賞役を頻繁に入賞するがＡＴ未発生として有利入賞役の入賞を困難とし、ＡＴ発生時には有利入賞役を頻繁に入賞させて遊技者に大きな利益を与えうる、といったタイプの機種などがある。このような不利入賞役は、遊技者の利益にあまり貢献せず、そのため、遊技者の中には、不利入賞役の入賞について興味がない者が多く、このような役に対しても払出演出を一々現出させてしまうと、その払出演出に気をとられてしまい、遊技を進行する上で、遊技者にとり非常に煩わしい。
【０００７】
そこで本発明は、上記問題点に鑑み、特定の遊技結果に係る払出演出に関し、遊技者が受ける煩わしさを軽減しうる回胴式遊技機を提供する。
【課題を解決するための手段】
【０００８】
本発明の上記目的は、下記の手段により達成される。なお、括弧内は実施形態における対応要素を示すが、本発明はこれに限定されるものではない。
【０００９】
（１）複数種類の図柄が表示された複数の回胴を有し、各回胴の停止時の図柄の組合せにより遊技結果を導出表示する遊技結果表示手段（回胴装置２１０）と、
遊技用価値を利用した単位遊技に対する規定賭数として複数の賭数が設定されることによる単位遊技開始条件の下、各回胴を回転始動させるための始動手段（回胴回転始動レバー１１）と、
各回胴のそれぞれに対応して設けられ、前記回胴の回転を個別に停止させるための複数の停止手段(回胴回転停止ボタン１２ａ、１２ｂ、１２ｃ)と、
前記始動手段の開始操作を契機に、複数種類の役を対象に抽選を行い、当選役を決定する役抽選手段（主制御部４００（図８のＳ１６））と、
前記停止手段の停止操作を契機に、前記当選役に対応する図柄の組合せが前記遊技結果として導出表示されうるように回胴を停止制御する停止制御手段（主制御部４００（図８のＳ１８））と、
前記遊技結果に応じて、遊技用価値を付与するための遊技価値付与手段（ホッパーユニット５００、主制御部４００（図８のＳ２０）など）と、
演出手段に対して遊技に関連する演出を現出制御する演出制御手段（演出制御部４１０）と、
を備える回胴式遊技機において、
前記演出制御手段は、前記演出手段による演出として、前記遊技価値付与手段による遊技用価値の付与に対応して払出演出を現出制御可能な払出演出制御手段（演出制御部４１０（図１７〜図１８））を含み、
前記払出演出制御手段は、前記規定賭数以上の第１の所定数の遊技用価値の付与を伴う第１の図柄の組合せ（たとえば、９枚ＡＴ役）が前記遊技結果として導出表示された場合には前記払出演出を現出させる一方、前記規定賭数未満の第２の所定数の遊技用価値の付与を伴う第２の図柄の組合せ（たとえば、１枚ＡＴ役）が前記遊技結果として導出表示された場合には前記払出演出を現出させないように制御する（演出制御部４１０（図１７〜図１８））、
ことを特徴とする回胴式遊技機。
【００１０】
（２）各回胴に表示された前記複数種類の図柄の一部が視認可能に構成され、前記遊技結果として導出表示される図柄の組合せを報知するための複数の成立ラインが形成された図柄視認窓部（回胴視認部３）を備え、
各回胴における図柄種には、それぞれ同一の図柄（たとえば、ベル図柄（図２の図柄配列帯２００））が含まれ、
前記第２の図柄の組合せが前記遊技結果として導出表示される場合、前記図柄視認窓部のいずれの成立ラインにも同一の図柄揃いが導出表示されないように構成されている（たとえば、有効入賞ラインおよび疑似入賞ライン上に同一種類の図柄揃いが導出表示されない）、
ことを特徴とする上記（１）に記載の回胴式遊技機。
【００１１】
（３）前記遊技価値付与手段は、前記第２の図柄の組合せが前記遊技結果として導出表示された場合、前記第２の所定数の遊技用価値の付与として、単一の遊技用価値（たとえば、遊技メダル１枚）を付与する、
ことを特徴とする上記（１）または（２）に記載の回胴式遊技機。
【００１２】
（４）前記払出演出は、前記演出手段による演出として、発光手段による光演出、音出力手段による音演出、および画像表示手段による画像表示演出の少なくともいずれか一つを利用した演出態様である、
ことを特徴とする上記（１）〜（３）のいずれかに記載の回胴式遊技機。
【発明の効果】
【００１３】
本発明によれば、特定の遊技結果に係る払出演出に関し、遊技者が受ける煩わしさを軽減することができる。
【図面の簡単な説明】
【００１４】
【図１】本発明の一実施形態に係る回胴式遊技機の外観を示す正面側の斜視図である。
【図２】本発明の一実施形態に係る回胴式遊技機の回胴が有する図柄配列帯を示した図である。
【図３】本発明の一実施形態に係る回胴式遊技機の制御装置の概要を示す制御ブロック図である。
【図４】図３に示す主制御基板および演出制御基板の回路構成を示すブロック図である。
【図５】本発明の一実施形態に係る回胴式遊技機に設けられた役（抽選対象役、入賞役など）の説明に供する図である。
【図６】本発明の一実施形態に係る回胴式遊技機の入賞ライン一例を示す図である。
【図７】入賞ライン上に成立する図柄の組合せの説明に供する図である。
【図８】遊技動作制御プログラムに従い主制御部側が行う主制御側メイン処理を示すフローチャートである。
【図９】遊技動作制御プログラムに従い主制御部側が行う主制御側タイマ割込処理を示すフローチャートである。
【図１０】図８中の入賞判定処理を示すフローチャートである。
【図１１】図８中のメダル払出枚数監視処理を示すフローチャートである。
【図１２】図１１中の払出メダルカウント処理を示すフローチャートである。
【図１３】演出制御部側が行う演出制御側メイン処理を示すフローチャートである。
【図１４】演出制御部側が行うコマンド受信割込処理を示すフローチャートである。
【図１５】演出制御部側が行う演出制御側タイマ割込処理を示すフローチャートである。
【図１６】図１３中の受信コマンド解析処理を示すフローチャートである。
【図１７】図１６中の入賞情報コマンド受信時演出処理における全回胴停止時演出処理を示すフローチャートである。
【図１８】図１６中の払出コマンド受信時演出処理を示すフローチャートである。
【発明を実施するための形態】
【００１５】
以下、図面を参照しながら、本発明に係る遊技機の好ましい実施形態について詳細に説明する。
【００１６】
＜機械的構成：図１＞
図１は、本発明の一実施形態に係る回胴式遊技機の外観を示す斜視図である。
【００１７】
本実施形態に係る回胴式遊技機は、遊技機本体として、図１Ａに示すように、遊技に供する各種遊技部品を収納するための遊技機筐体１と、遊技機筐体１の前面側に開閉自在に取り付けられた前扉２とを備えている。
【００１８】
前扉２には、そのほぼ中央に第１の表示窓３が、またその上側に第２の表示窓４が設けられている。
【００１９】
下側の第１の表示窓３は回胴視認部であり、回胴装置２１０の横並びに３個配設された回胴５ａ、５ｂ、５ｃ（以下、必要に応じて、回胴５ａを「左回胴５ａ」、回胴５ｂを「中回胴５ｂ」、回胴５ｃを「右回胴５ｃ」と称する）が、この回胴視認部３に臨ませて、遊技者側から視認し得るように設けられている。この回胴視認部３を介して、各々３個程度の合計９個の図柄（たとえば、３個（列方向）×３個（行方向）のマトリックス状の範囲：図６参照）が視認可能となっている。なお、本実施形態では、回胴視認部３を介して９個程度の図柄が視認可能となっているが、少なくとも後述の有効入賞ライン上に停止する図柄の組合せが視認可能であれば、その視認可能な図柄の個数は、特に制限されず、遊技性に応じて適宜変更することができる。たとえば、回胴が３つであれば、１個〜４個（列方向）×３個（行方向（回胴の個数分））の３個〜１２個程度の図柄が視認可能に構成することができる。
【００２０】
また回胴の裏面側には、回胴視認部３に表示される図柄を各回胴の内側から照射するバックライト手段（図柄照射用バックライトＬＥＤ（図柄照射手段（図示せず））が形成されている。本実施形態では、回胴視認部３を介して視認可能な９つの図柄を照らすために、回胴ごとに３個ずつ設けられた９つの図柄照射用バックライトＬＥＤが形成されている。
【００２１】
回胴５ａ、５ｂ、５ｃには、その外周に複数種類の図柄が表示された図柄配列帯２００（図２参照）が形成され、各回胴の停止時の図柄の組み合せによって遊技結果が導出表示されるようになっている。
【００２２】
＜図柄配列帯２００：図２＞
図２は、各回胴５ａ、５ｂ、５ｃが有する図柄配列帯２００を例示したものである。同図に示す「１ＳＴ」図柄配列帯は左回胴５ａに、「２ＮＤ」図柄配列帯は中回胴５ｂに、「３ＲＤ」図柄配列帯は右回胴５ｃに対応している。
【００２３】
図柄配列帯２００には、内部抽選により当選した役（当選役）に対応する図柄の組合せを構成するための図柄（構成要素図柄）が表示されている。本実施形態の図柄種には、図示のように、たとえば、赤７、青７、ＲＰ、ベル、スイカ、ＢＡＲ、チェリーの計７種類の図柄が表示されており、これらの図柄が回胴の回転方向に計２１コマ配置され、図柄の並び順に沿って図柄番号０番〜２０番のコマ番号が割り当てられている。
【００２４】
これらの回胴５ａ、５ｂ、５ｃは、それぞれパルスモータからなる回胴駆動モータ２１１ａ、２１１ｂ、２１１ｃ（図３参照）により回転駆動され、これにより、各図柄が変動表示および停止表示される。なお各回胴は、回胴駆動モータのような電気的駆動源を用いて回転および停止される機械的な回胴に限定されず、後述する液晶表示装置６のような画像表示装置に表示され、画像上で回転または停止が行われる演出的な回胴であっても良い。また、回胴の数は３個に限定されるものではなく、２個、４個など、遊技性に応じて適宜変更することができる。
【００２５】
回胴視認部３には、ここを横断する形で、単一の入賞ライン（中段横ライン：図６参照）が表示されている。なお、入賞ライン３ａは、本発明の目的を達成できるものであれば、その本数や形態は特に限定されず、図柄配列帯における図柄の配置構成、図柄の種類、役の構成要素図柄、回胴の停止制御形態（後述の引き込み制御）などの関係により、適宜変更することができる。
【００２６】
上記の入賞ラインは、単位遊技（１ゲーム）に対する賭数が設定されると有効として扱われる。この有効とされた入賞ライン（以下、「有効入賞ライン」と称する）上において、各回胴５ａ、５ｂ、５ｃが停止した際の停止図柄の組合せが、当選役に対応する図柄の組合せとなった場合、その図柄の組合せに応じた遊技価値が遊技者に付与されるようになっている。たとえば、遊技メダルの払い出しを伴う役に当選し、これに対応する図柄の組合せが有効入賞ライン上に停止した場合（図柄の組合せについて遊技価値を獲得するために必要な組合せとしてあらかじめ定められたものが遊技結果として導出表示された場合）、遊技機筐体１内のホッパーユニット５００（図３参照）が作動し、配当として、所定枚数分の遊技メダルが払い出される。この遊技メダルは、遊技者が遊技を開始する際に必要なものであり、遊技価値を有するものといえる。なお、上記の入賞ラインが複数本ある場合は、単位遊技（１ゲーム）に対する賭数（ベット（ＢＥＴ）数）に応じて有効として扱われるライン数を変化させることができる。
【００２７】
また第１の表示窓３（回胴視認部３）の上側に設けられた第２の表示窓４は液晶画面視認部であり、前扉２の裏側に装着された画像表示装置としての液晶表示装置６（ＬＣＤユニット）の表示画面（液晶画面）６ａに対応して、たとえば、回胴視認部３よりも少し小さい矩形状に形成されている。この液晶画面６ａが液晶画面視認部４に臨ませて、遊技者側から視認し得るように設けられている。この液晶表示装置６（液晶画面６ａ）には、画像により遊技に関する演出が表示される。
【００２８】
また回胴視認部３の左右両側には、光の装飾により遊技に関する演出を現出する装飾ランプ部１３が設けられている。この装飾ランプ部１３はＬＥＤ（発光手段）を内蔵し、その発光色の種類や発光態様（点滅、点灯、消灯など）により、光の装飾による光演出効果を発揮する。
【００２９】
また回胴視認部３の下方の段部には、遊技媒体である遊技メダルを投入するためのメダル投入口７と、貯留手段（クレジット手段：後述の主制御部（主制御基板）４００（図３参照）がその機能部を担い、遊技機に投入された遊技メダル、または入賞によって獲得した遊技メダルを貯留して、その貯留数（クレジット枚数）を電磁的方法によって記憶可能とする機能部）にクレジットされた範囲内（本実施形態では、最大クレジット枚数は、５０枚となっている）において、１ゲームに対して許容される賭け数の上限値（最大賭数：本実施形態では遊技メダル３枚が最大賭数となっている）まで遊技メダルを一度に疑似投入し得るＭＡＸベットボタン８、押した回数に応じて上記賭け数の上限値まで遊技メダルを加算的に疑似投入しうる１ベットボタン９、賭数設定のために投入された遊技メダルおよびクレジット内の遊技メダルの精算を行うためのクレジット精算ボタン１０などが設けられている。
【００３０】
また回胴視認部３の上記段部の下側には、横長状に形成された操作パネル部１４が設けられている。この操作パネル部１４には、メダル投入口７内に詰まったメダルを返却させるための返却ボタン１５、回胴５ａ、５ｂ、５ｃの回転を開始させるための回胴回転始動レバー１１、各回胴５ａ、５ｂ、５ｃの回転を個別に停止させるための３個の回胴回転停止ボタン１２ａ、１２ｂ、１２ｃ（左回胴停止ボタン１２ａ、中回胴停止ボタン１２ｂ、右回胴停止ボタン１２ｃ）が設けられている。本明細書中では、特に必要のない限り、これら回胴回転停止ボタン１２ａ、１２ｂ、１２ｃを「回胴回転停止ボタン１２」と称する。
【００３１】
なお上記したＭＡＸベットボタン８、１ベットボタン９、クレジット精算ボタン１０、回胴回転始動レバー１１、および回胴回転停止ボタン１２ａ、１２ｂ、１２ｃのそれぞれには、これらが操作されたときの操作検出情報（検出信号）を生成するスイッチ（ＭＡＸベットスイッチ８ａ、１ベットスイッチ９ａ、クレジット精算スイッチ１０ａ、回胴回転始動スイッチ１１ａ、回胴回転停止スイッチ１２ａ’、１２ｂ’、１２ｃ’：図３参照）が設けられている。
【００３２】
また、前扉２の裏面側のメダル投入口７に対応する位置には、メダル投入口７に投入された遊技メダルが正規か否かを選別して、正規の遊技メダルをホッパーユニット５００側に導くメダルセレクタ（図示せず）が設けられている。このメダルセレクタには、投入された遊技メダルを、遊技機内部において、ホッパーユニット５００（図３参照）に受け入れるためのメダル受入通路側（図示せず）と、メダル受け皿１８側に誘導するためのメダル返却通路側（図示せず）とを切り換え可能に構成されたブロッカーソレノイド７ｃ（図３参照）による通路切換機構が設けられている。またメダルセレクタには、投入された遊技メダルを検出するメダル検出センサ７ａ（図３参照）が設けられている。
【００３３】
操作パネル部１４の下方には、遊技機の魅力をアピールするための色彩や絵柄が施された装飾パネル部１７が設けられ、この装飾パネル部１７の下方には、前扉２と一体的に装着された横長状のメダル受け皿１８が設けられている。このメダル受け皿１８には、遊技機内部から返却される遊技メダルを前側に排出するメダル払出口１９が開口している。
【００３４】
また前扉２の前扉上部両側と前扉下部両側には、遊技に関する効果音を出力して音演出効果を発揮するスピーカ１６が設けられている。
【００３５】
なお回胴視認部３の下部側には、横長状に形成された遊技パネル７７が設けられている。この遊技パネル７７には、遊技者に対し、現在の遊技状況（現在の遊技進行具合）を報知するための各種の表示部（図３参照）が設けられている。
【００３６】
具体的には、（Ａ）上記クレジット枚数を表示する「クレジット枚数表示部（クレジット枚数表示器８６）」、（Ｂ）遊技結果に応じて払い出される遊技メダルの枚数（払い出し枚数）を報知する「払出枚数表示部（払出枚数表示器８７）」、（Ｃ）回胴回転始動レバー１１の操作が有効（遊技開始可能状態（回胴始動可能状態））であるか否かを報知する「遊技開始表示部（遊技開始表示ＬＥＤ８１）」、（Ｄ）遊技メダルの投入が受付可能であるか否かを報知する「メダル投入表示部（メダル投入表示ＬＥＤ８２）」、（Ｅ）再遊技中であるか否かを報知する「再遊技作動表示部（再遊技作動ＬＥＤ８３）」、および（Ｆ）遊技メダルの投入枚数（現在の賭数）を表示する「投入枚数表示部（投入枚数表示ＬＥＤ８５）」などの種々の表示部が設けられている。これら表示部は、主制御部４００（図３参照）により表示制御される。
【００３７】
なお、上記クレジット枚数表示部と払出枚数表示部は、たとえば、７セグメント表示器により現在のクレジット枚数情報や払い出し枚数情報を報知可能に構成され、上記遊技開始表示部、メダル投入表示部、再遊技作動表示部、および投入枚数表示部は、内蔵ＬＥＤの発光態様（消灯・点灯（点滅）、発光色など）により、現在の遊技状況を報知可能に構成されている。また上記各表示部は、遊技者が視認し易い位置に形成されていれば良く、たとえば、回胴視認部３近傍の位置（たとえば、符号１３に示す矩形状の領域）が挙げられる。また、各表示部は、ＬＥＤや７セグメントによる表示手段を利用するのではなく、画像表示手段により上記表示部の情報を報知可能に構成することができる。たとえば、液晶表示装置６（液晶画面６ａ）の所定の表示領域に、上記の情報を表示させるように構成することができる。
【００３８】
なお、本発明における演出手段については、視覚、聴覚、触覚など、人間の知覚に訴えることにより演出効果を発揮し得る刺激伝達手段であれば良く、装飾ランプ４５やＬＥＤ装置などの光発生手段、スピーカ４６などの音響発生装置、液晶表示装置３６などの演出表示装置、操作者の体に振動を伝える加振装置、遊技者の体に風圧を与える風圧装置、ないし、その動作により視覚的演出効果を発揮する可動体役物などは、その代表例である。ここで上記演出表示装置とは、画像表示装置と同じく、視覚に訴える表示装置を意味するが、画像によらないもの（たとえば、７セグメントによる表示装置）も含む点で画像表示装置とは異なる。また液晶表示装置６は画像表示装置の代表例であるが、画像表示装置の場合は主として画像表示により演出を表現するタイプを指し、７セグメントの表示装置のように画像以外の表示により演出を表現するものは、上記演出表示装置の概念の中に含まれる。
【００３９】
＜制御装置：図３〜図４＞
次に、図３を参照して、本実施形態に係る回胴式遊技機の制御装置について説明する。図３は、遊技動作制御を行うための制御装置の構成の概要を示す制御ブロック図である。なお、図１と同じ構成要素には同じ参照番号を付してある。
【００４０】
本実施形態に係る回胴式遊技機の制御装置は、遊技動作制御全般を司る主制御部（主制御基板）４００（主制御手段）と、主制御部４００から演出制御コマンドを受けて、演出動作制御（演出手段に対する演出現出制御）全般を司る演出制御部４１０（演出制御手段）と、外部電源から遊技機に必要な電源を生成し供給する不図示の電源基板（電源制御手段）とを中心に構成される。上記の演出制御部４１０は、演出制御基板４２０と液晶制御基板４６０とを含んで構成され、液晶制御基板４６０には液晶表示装置６が接続されている。なお、図３において電源供給ルートは省略してある。
【００４１】
主制御部４００には、遊技中継基板３７０を介して、メダル投入口７からの遊技メダルを検出するメダル検出センサ７ａと、ＭＡＸベットボタン８の操作を検出するＭＡＸベットスイッチ８ａと、１ベットボタン９の操作を検出する１ベットスイッチ９ａと、クレジット精算ボタン１０の操作を検出するクレジット精算スイッチ１０ａと、回胴回転始動レバー１１の操作を検出する回胴回転始動スイッチ１１ａと、回胴回転停止スイッチ１２ａ’、１２ｂ’、１２ｃ’を搭載した停止スイッチ基板３６０とが接続され、主制御部４００はこれらからの検出信号を受信可能となっている。また遊技中継基板３７０を介して、ブロッカーソレノイド７ｃが接続され、ブロッカーソレノイド７ｃに対してソレノイド制御用の励磁信号を送信可能となっている。
【００４２】
また主制御部４００には、遊技中継基板３７０を介して、遊技表示基板３９０が接続されている。この遊技表示基板３９０には、遊技開始表示ＬＥＤ８１と、メダル投入表示ＬＥＤ８２と、再遊技作動ＬＥＤ８３と、ＭＡＸベットＬＥＤ８４（ＭＡＸベットボタン８内蔵ＬＥＤ）と、投入枚数表示ＬＥＤ８５とが搭載され、主制御部４００はこれら表示部を制御する発光制御信号を送信可能となっている。さらに遊技表示基板３９０には、クレジット枚数表示器８６と払出枚数表示器８７とが搭載されており、主制御部４００はこれら７セグメント表示器を制御する発光制御信号を送信可能となっている。
【００４３】
なお図示はしていないが、回胴回転停止ボタン１２ａ、１２ｂ、１２ｃは、その内部に停止ボタンＬＥＤが設けられており、主制御部４００はこれら停止ボタンＬＥＤを制御する発光制御信号を送信可能となっている。この停止ボタンＬＥＤの発光態様（たとえば、発光色の違い）により、上記のボタン操作の有効または無効が遊技者に報知可能となっている。
【００４４】
また主制御部４００には、回胴中継基板３３０を介して回胴装置２１０の回胴５ａ、５ｂ、５ｃを回転駆動するための回胴駆動モータ２１１ａ、２１１ｂ、２１１ｃが接続され、主制御部４００は、これら回胴駆動モータを駆動させるための制御信号を送信可能となっている。
【００４５】
また主制御部４００には、回胴位置検出センサ（各回胴に設けられ、回胴の現在の回転位置（基点からの現在位置）や回胴の回転を検出するためのセンサ）２１２ａ、２１２ｂ、２１２ｃが接続され、主制御部４００は、これら回胴位置検出センサからの検出信号を受信可能となっている。
【００４６】
また主制御部４００には、払出中継基板３５０を介して、ホッパーユニット５００と、ホッパーユニット５００から溢れた余剰の遊技メダル貯留するための補助タンク（図示せず）の満杯状態を監視する満杯検知金具６００とが接続されている。
【００４７】
ホッパーユニット５００には、ホッパーモータ５１０と、ホッパーモータ５１０を駆動制御するための払出制御基板（払出制御手段）４５０と、ホッパーユニット５００から排出される遊技メダルを検出するためのメダル払出センサ５２０とが設けられている。ホッパーユニット５００は、遊技価値付与手段として働く。
【００４８】
主制御部４００は、遊技メダルの払い出しが必要な場合、払い出し枚数を指定する「払出制御コマンド」を払出制御基板４５０に送信可能となっている。払出制御基板４５０は、主制御部４００からの払出制御コマンドを受信すると、ホッパーモータ５１０を駆動制御して、指定された枚数分の遊技メダルの払い出し処理を行うようになっている。払い出された遊技メダルは、メダル払出センサ５２０により検出され、その検出信号は主制御部４００に入力され、遊技メダルの払い出し状態が主制御部４００により監視される。
【００４９】
また主制御部４００には、外部集中端子基板３１０を介してホールコンピュータＨＣ（パチンコホールの遊技機を統括的に管理するコンピュータ）が接続され、主制御部４００は、所定の遊技情報（たとえば、ゲーム開始情報、払い出し枚数、入賞の発生などに関する情報）をホールコンピュータＨＣに送信可能となっている。
【００５０】
また主制御部４００には回胴設定基板４３０が接続され、回胴設定基板４３０からの検出信号を受信可能となっている。
【００５１】
この回胴設定基板４３０には、所定の遊技動作エラーを解除するリセットスイッチ（図示せず）が設けられ、リセットスイッチが操作されたことによる検出信号を主制御部４００に送信可能となっている。また回胴設定基板４３０には、段階的（本実施形態では、設定１〜６の６段階）に出玉率に変化をもたらす「設定値（遊技者が享受可能な利益の期待値を段階的に特定する値）」を変更する設定スイッチ（図示せず）が設けられ、設定スイッチにより設定した設定値を示す信号を主制御部４００に送信可能となっている。
【００５２】
上記の「設定値」とは、主として、内部抽選による役の抽選確率（役の当選確率）を段階別（設定１〜６の６段階）に規定するもので、設定値が高くなるほど機械割（所謂、払い出し率（ＰＡＹＯＵＴ率（設定値１が最低の機械割、設定値６が最高の機械割））が高く、遊技者に有利に作用するようになっている。なお上記設定値は、専ら、ホール（遊技店）の営業戦略に基づき、ホール店員が上記設定スイッチを操作して設定値が変更される。
【００５３】
また主制御部４００には、演出Ｉ／Ｆ基板３４０を介して、演出制御部４１０を構成する演出制御基板４２０が接続されている。この演出制御基板４２０の主な役割は、主制御部４００からの演出制御コマンドの受信、演出制御コマンドに基づく演出の選択決定、液晶制御基板４６０に対し、演出制御コマンドに関連付けられた液晶制御コマンドの送信、スピーカ１６の音制御、装飾ランプ１３やＬＥＤの発光制御、適所に設けられた可動体役物（図示せず）の動作制御などである。演出制御部４１０は、演出手段による演出として、遊技価値付与手段による遊技用価値の付与に対応して、後述の「払出演出」を現出制御可能な「払出演出制御手段」として機能することができる。
【００５４】
演出制御基板４２０には、演出Ｉ／Ｆ基板３４０を介して、液晶制御基板４６０が接続されている。この液晶制御基板４６０の主な役割は、演出制御基板４２０からの液晶制御コマンドの受信や液晶制御コマンドに基づく液晶表示装置６の画像表示制御などである。
【００５５】
次に図４を参照して、主制御部（主制御基板）４００および演出制御部４１０に関する回路構成とその機能について具体的に説明する。ここでは、演出制御部４１０として、主制御部４００に接続されている演出制御基板４２０に着目しながら説明する。
【００５６】
図４は、図３に示す主制御部４００および演出制御基板４２０の回路構成を概略的に示すブロック図である。先ず、主制御部４００の回路構成について説明する。
【００５７】
＜主制御部（主制御基板）４００＞
主制御部４００は、メインＣＰＵ４０１ｃを内蔵したマイクロプロセッサを搭載するとともに、メインＲＯＭ４０１ａと、メインＲＡＭ４０１ｂとを搭載したマイクロコンピュータ４０１（本実施形態ではＺ８０システム相当品を採用している）を中心に構成され、その他、周辺基板間の信号を入出力するＩ／Ｏポート回路４０２、カウンタ回路４０３、主制御基板４００に接続された外部周辺基板との信号のやり取りを仲介するインターフェース（Ｉ／Ｆ）回路４０４〜４０６、モータ駆動回路４０７、およびスイッチ入力回路４０８を含んで構成されている。
【００５８】
メインＣＰＵ４０１ｃは、たとえば、Ｚ８０（ザイログ社製またはこれの相当品）のＣＰＵであり、メインＣＰＵ４０１ｃには、遊技動作制御処理の実行に必要なデータの読み書きを行う各種レジスタを備えている。
【００５９】
またメインＲＯＭ４０１ａは、遊技動作制御に係る遊技データを記憶する記憶手段（主制御側記憶手段）として機能し、遊技動作制御手順を記述した制御プログラムの他、たとえば、回胴の停止制御用の停止データ（引き込み制御用データ）を定めた「停止テーブル（図示せず）」、役に関する内部抽選用データを定めた「抽選テーブル（後述の図５参照）」、内部抽選結果に基づく当選フラグを設定するためのフラグデータを定めた「当選フラグ設定テーブル（図示せず）」など、遊技動作制御に必要な種々のデータが格納されている。
【００６０】
またメインＲＡＭ４０１ｂはワークエリアやバッファメモリとして機能し、メインＣＰＵ４０１ｃが上記遊技動作制御プログラムを実行する際に生成されるデータ、たとえば、内部抽選に利用される内部抽選用乱数値、内部抽選結果情報（たとえば、当選番号（当選役種別情報）、当選フラグなど）、遊技状態情報（遊技状態指定用のフラグ:たとえば、遊技状態フラグ、再遊技作動フラグなど）、遊技動作制御に係る各種タイマ、賭数設定情報（遊技メダル投入枚数）、クレジット枚数、払出枚数など、遊技の進行に必要なデータが処理状態に応じて格納され利用される。
【００６１】
マイクロコンピュータ４０１は、上述のメインＲＯＭ４０１ａ、メインＲＡＭ４０１ｂ、およびメインＣＰＵ４０１ｃの他、さらにＣＴＣ（Ｃｏｕｎｔｅｒ  Ｔｉｍｅｒ  Ｃｉｒｃｕｉｔ）４０１ｄや、カウンタ回路４０３、割込機能（メインＣＰＵ４０１ｃに割込み信号を付与するタイマ割込機能や割込禁止機能）を発揮する割り込みコントローラ回路４０１ｅなどを含んで構成されている。
【００６２】
ＣＴＣ４０１ｄは、８ｂｉｔのカウンタやタイマを集積した回路であり、周期的割り込みや一定周期のパルス出力作成機能（ビットレートジェネレータ）や時間計測の機能を付与するものである。そこで本実施形態では、ＣＴＣ４０１ｄを利用して、メインＣＰＵ４０１ｃに１．５ｍｓ程度の時間間隔でタイマ割込みをかけている。
【００６３】
カウンタ回路４０３は、ハードウェア的に一定範囲の乱数を生成する乱数生成回路と、その乱数生成回路から所定のタイミングで乱数値をサンプリングするサンプリング回路とを含んで構成され、全体として１６ビットカウンタとして働く。メインＣＰＵ４０１ｃは、処理状態に応じて上記サンプリング回路に指示を送ることで、上記乱数発生回路が示している数値を内部抽選用乱数値として取得し、その乱数値を内部抽選に利用する。マイクロコンピュータ４０１（メインＣＰＵ４０１ｃ）は、遊技開始条件となる賭数（本実施形態では、遊技メダル３枚）が設定され、回胴回転始動レバー１１が操作されると、内部抽選用乱数値と後述の抽選テーブル（図５）を参照して、いずれの役に当選したのか、そうでない「ハズレ」であるのかを内部抽選により決定し、その抽選結果情報（たとえば、当選番号情報、当選フラグ）を所定の処理が終了するまでメインＲＡＭ４０１ｂの所定領域に設定する。この抽選結果情報は、原則として、１ゲームごとにクリアされるようになっている。
【００６４】
（抽選テーブル：図５）
図５に、本実施形態に係る抽選テーブルの概要を示す。本実施形態では、通常遊技中に用いられる抽選テーブルと、ボーナス遊技中に用いられる役抽選テーブルとを含む複数種類の抽選テーブルが設けられているが、図示では、通常遊技中に用いられる抽選テーブルを代表的に示してある。
【００６５】
上記抽選テーブルには、図示のように、複数種類の当選役種別ごとに対応した当選領域（判定値）を有する抽選領域（本実施形態の抽選領域の大きさは、６５５３６となっている）が定められており、これにより各役の当選確率（判定値／抽選領域）が規定される。内部抽選の対象となる役は、ハズレ（図示の純ハズレ）を含み、１２種類設けてある（各役については後述する）マイクロコンピュータ４０１は、上記抽選テーブルを参照し、内部抽選乱数値がいずれの判定値に属するか否かにより、いずれの役に当選したのか、ハズレであるのかを決定する。なお、図中の当選役種別には、当選番号に対応する役名称を表記してある。
【００６６】
なお、ボーナス遊技中に利用される抽選テーブル（図示せず）では、後述のＡＴ１の当選確率が通常遊技よりも著しく高く設定されており（たとえば、判定値が６５５００）、ボーナス遊技中においては、ＡＴ１がほぼ毎ゲーム当選し、短期間で多量の遊技メダルを獲得することができる、といった遊技者に有利な遊技状態（特別遊技状態）となる。
【００６７】
図４の説明に戻り、主制御部４００からは、処理状態を特定可能な制御情報（指令情報）としての「演出制御コマンド」が、演出制御基板４２０とのＩ／Ｆ回路４０４が備える出力バッファ回路４０４ａを介して出力される。この演出制御コマンドは、演出Ｉ／Ｆ基板３４０を通して、その内部に設けられた主制御基板４００用の入力バッファ回路３４０ａを介して演出制御基板４２０に入力されるようになっている。このような主制御部４００からの演出制御コマンドは、外部からのゴト行為による不正な信号が演出制御部４１０を介して主制御部４００に入力されることを防止するため、一方向通信により演出制御基板４２０に送信される。つまり演出制御部４１０側は、一方向通信における入力としてのみ機能するようになっている。
【００６８】
Ｉ／Ｆ回路としては、演出制御基板４２０とのＩ／Ｆ回路４０４、遊技中継基板３７０とのＩ／Ｆ回路４０５、およびその他の基板とのＩ／Ｆ回路４０６が設けられている。Ｉ／Ｆ回路４０５のスイッチ入力回路４０８には、遊技機本体に配置された各種スイッチやセンサからの信号が入力される。
【００６９】
モータ駆動回路４０７は、マイクロコンピュータ４０１（メインＣＰＵ４０１ｃ）の制御の下、回胴駆動モータ２１１ａ、２１１ｂ、２１１ｃを制御するための駆動パルス信号を供給し、回胴５ａ、５ｂ、５ｃの回転制御および停止制御を行う。
【００７０】
回胴の回転制御は、遊技開始条件となる賭数が設定され、回胴回転始動レバー１１の操作を確認したことを条件に行われる。具体的には、マイクロコンピュータ４０１は、メダル検出センサ７ａ、ＭＡＸベットスイッチ８ａ、または１ベットスイッチ９ａからの検出信号に基づく規定枚数（遊技開始可能となる投入枚数）の遊技メダルが投入されたことを確認した場合、回胴回転始動スイッチ１１ａからの操作検出信号の入力の受付を有効（遊技開始可能状態）にする。そして、この遊技開始可能状態の下、回胴回転始動スイッチ１１ａからの操作検出信号の入力を確認した場合、モータ駆動回路４０７を介して回胴駆動モータ２１１ａ、２１１ｂ、２１１ｃを駆動制御し、各回胴５ａ、５ｂ、５ｃを回転始動させ、その後、各回胴を略一定速度で回転させる。これにより、各回胴を回転させる回転動作を実現している。なお、本実施形態では、遊技メダル３枚が１ゲームに対しての最大賭数（ＭＡＸベット）となっており、上記遊技開始条件となる規定枚数も遊技メダル３枚となっている。ただし、最大賭数は、遊技状態に応じて変化させることができる。たとえば、通常遊技中では最大賭数を遊技メダル３枚とし、ボーナス遊技中では最大賭数を遊技メダル２枚とすることができる。また上記規定枚数は、１枚または２枚でも良く、特に制限されない。
【００７１】
また回胴の停止制御は、回胴の回転中において、回胴回転停止ボタン１２の操作を確認したことを条件に行われる。具体的には、マイクロコンピュータ４０１は、回胴回転停止スイッチ１２ａ’、１２ｂ’、１２ｃ’からの操作検出信号の入力を確認した場合、特定位置（たとえば、回胴視認部３の最下段水平方向のライン上（枠内下段）に相当する位置）に存在する図柄番号を取得してこれを「停止操作図柄番号」とし、所定の停止テーブル（図示せず）に基づき、その停止操作図柄番号からどれだけのコマ数（滑りコマ数）分移動させて回胴を停止させるかを割り出し、目的の位置に回胴を停止させる。なおマイクロコンピュータ４０１は、回胴位置検出センサ２１２ａ、２１２ｂ、２１２ｃからの検出信号に基づき、現在、基点となる位置からどれだけの移動量で回胴が回転しているかを監視し、上記特定位置に存在する図柄番号を把握している。これにより、各回胴５ａ、５ｂ、５ｃの有効入賞ライン上にどの図柄番号の図柄が停止したのかについて、回胴の停止毎に把握することができるようになっている。また回胴が実際に停止する前段階であっても、滑りコマ数と停止操作図柄番号とに基づき、有効入賞ライン上の停止図柄を事前に把握することもできる。
【００７２】
上述の「停止テーブル」には、停止操作図柄番号に対応する滑りコマ数を最大引き込みコマ数範囲内（たとえば、４コマ）で定めた停止データが定められている。この停止テーブルには、主として、内部抽選結果に応じて選択される複数種類の停止テーブルが含まれ、たとえば、全回胴の滑りコマ数を一括して定めた全回胴用停止テーブルや、各回胴ごとに滑りコマ数を定めた停止テーブル（たとえば、左回胴用停止テーブル、中回胴用停止テーブル、右回胴用停止テーブル）、回胴の停止操作手順（停止操作タイミングおよび回胴の停止操作順番（押し順）の少なくともいずれか一方）に応じて選択される停止操作順用停止テーブルなどが含まれる。斯様な停止テーブルにより、最大引き込みコマ数範囲内において、特定の図柄（たとえば、当選役に対応する図柄の組合せを構成し得る図柄（当選役の構成要素図柄））を有効入賞ライン上に停止させたり、特定の図柄を有効入賞ライン上に停止させないようにしたりする、所謂「引き込み制御」が実現される。
【００７３】
この「引き込み制御」とは、従来から知られているように、内部抽選により当選役が決定された場合、回胴回転停止ボタン１２が操作されたタイミングで有効入賞ライン上に存在する当該当選役の構成要素図柄（当選役に対応する図柄の組合せを構成し得る図柄）を除き、所定の滑りコマ数（最大引き込みコマ数（本実施形態では最大４コマ））の範囲内に有効入賞ライン上に停止可能となる当選役の構成要素図柄が存在する場合、その図柄を有効入賞ライン上に引き込む形態で回胴の停止位置を制御する停止制御態様である。したがって、有効入賞ライン上に存在する当選役の構成要素図柄が存在しない場合、当該当選役の構成要素図柄が上記停止操作図柄番号から最大引き込みコマ数分引き込んで有効入賞ライン上に停止可能であれば、基本的にはその図柄が有効入賞ライン上に引き込まれ、当選役に対応する図柄の組合せを有効入賞ライン上に成立させるように回胴が停止される。
【００７４】
このような引き込み制御の特性を利用し、各回胴の図柄配列帯における図柄配置構成や停止操作図柄番号に応じた滑りコマ数を定めれば、当選役に対応する図柄の組合せに関し、回胴の停止操作タイミングにかかわらず有効入賞ライン上に停止可能（１００％引き込み可能（引き込み率１００％））にしたり、停止操作タイミングによっては最大滑りコマ数引き込んでも有効入賞ライン上に停止不可能（「取りこぼし」の発生を可能にする）にしたりすることができる。ただし、内部抽選によりいずれの役にも当選していない場合、つまり「ハズレ」の場合には、いずれの役に対応する図柄の組合せも有効入賞ライン上に停止させない回胴の停止位置が決定されるようになっている。したがって、「ハズレ」となったゲームでは、回胴の停止操作タイミングにかかわらず、いずれの役に対応する図柄の組合せも有効入賞ライン上に停止することはなく、遊技結果は常に「ハズレ」となる。
【００７５】
なお本実施形態の図柄配列帯２００（図２参照）では、特定の図柄種（たとえば、ＲＰの図柄、ベルの図柄など）に関しては、所定の有効入賞ライン上への引き込み率が１００％となるように配置されている。しかし、その他の図柄に関しては、必ずしも引き込み率が１００％とはなっておらず、これにより、特定の当選役の「取りこぼし」を発生させることができるようになっている。しかし各図柄の図柄配置構成、図柄種、および入賞ラインのいずれについても、本発明の目的を達成できるものであれば特に制限されず、適宜変更することができる。
【００７６】
＜演出制御部４１０（演出制御基板４２０）＞
次に、演出制御部４１０の演出制御基板４２０について説明する。
【００７７】
演出制御基板４２０は、サブＣＰＵ４２１ｃ（演出制御ＣＰＵ）を内蔵したマイクロプロセッサを搭載するとともに、サブＲＯＭ４２１ａ（演出制御ＲＯＭ）と、サブＲＡＭ４２１ｂ（演出制御ＲＡＭ）とを搭載したマイクロコンピュータ４２１を中心に構成され、その他、ＣＴＣ４０１ｄと同様の機能を持つＣＴＣ４２１ｄ、サブＣＰＵ４２１ｃに割り込み信号を付与する割り込みコントローラ回路４２１ｅ、演出Ｉ／Ｆ基板３４０との間の信号を入出力するＩ／Ｏポート回路４２２、カウンタ回路４２３などを含んで構成されている。また演出制御基板４２０には、演出Ｉ／Ｆ基板３４０を介して、液晶制御基板４６０と、スピーカ１６や装飾ランプ１３や演出用ＬＥＤ（たとえば、図柄照射用バックライトＬＥＤ）を搭載した演出ＬＥＤ基板３８０などの演出手段とが接続されている。
【００７８】
サブＲＯＭ４２１ａは、演出動作制御に係る遊技データを記憶する記憶手段（演出制御側記憶手段）として機能し、演出制御手順が記述された演出制御プログラムの他、演出動作制御に必要な種々のデータが格納されている。
【００７９】
またサブＲＡＭ４２１ｂはワークエリアやバッファメモリとして機能し、サブＣＰＵ４２１ｃが上記演出制御プログラムを実行する際に生成されるデータ、たとえば、演出抽選用乱数値や演出状態（演出制御部側の遊技状態）情報など、演出を現出する際に必要なデータが処理状態に応じて格納され利用される。
【００８０】
カウンタ回路４２３は、カウンタ回路４０３と同様に乱数生成回路とサンプリング回路とを含む。サブＣＰＵ４２１ｃは、演出処理状態に応じて（たとえば、演出制御コマンドを受信したタイミング）上記サンプリング回路に指示を送ることで、上記乱数発生回路が示している数値を演出用乱数値として取得する。この演出用乱数値は、主として演出パターンの抽選に利用される。
【００８１】
なお図示はしていないが、演出制御基板４２０には、主制御部４００からの演出制御コマンドを受けて光と音についての演出処理を行うため、スピーカ１６に対する音響制御部と、装飾ランプ１３やＬＥＤを含む光表示装置に対する光表示制御部とが設けられている。
【００８２】
液晶制御基板４６０は、演出制御基板４２０から受信した液晶制御コマンドに基づき、液晶表示装置６の表示制御を司る表示制御部を備えている。この表示制御部は、画像展開処理や画像の描画などの映像出力処理全般の制御を司るＶＤＰ（Ｖｉｄｅｏ  Ｄｉｓｐｌａｙ  Ｐｒｏｃｅｓｓｏｒ）と、ＶＤＰが画像展開処理を行う画像データ（演出画像データ）を格納した画像（キャラクタ）ＲＯＭと、ＶＤＰが展開した画像データを一時的に記憶するＶＲＡＭ（Ｖｉｄｅｏ  ＲＡＭ）と、ＶＤＰが表示制御を行うために必要な制御データを出力する液晶制御ＣＰＵと、液晶制御ＣＰＵの表示制御動作手順を記述したプログラムやその表示制御に必要な種々のデータを格納する液晶制御ＲＯＭと、ワークエリアやバッファメモリとして機能する液晶制御ＲＡＭと、を中心に構成されている。
【００８３】
上記マイクロコンピュータ４２１は、主制御部４００から送られてくる特定情報（たとえば、当選役情報や停止図柄情報）を含む演出制御コマンド（たとえば、後述の遊技開始情報コマンドや入賞情報コマンド）を受けて、後述のＡＴ遊技を含む複数種類の演出状態間を移行制御可能な構成となっている。
【００８４】
またマイクロコンピュータ４２１（サブＣＰＵ４２１ｃ）は、演出の現出制御に関して、主制御部４００から送られてくる演出制御コマンドに基づき、今回のゲームで現出すべき演出パターン（演出シナリオ）を決定し、決定した演出パターンに従い、効果音や光演出の発生が必要なタイミングで、上記音響発生装置や光表示装置に対し専用の制御信号を送信し、また液晶表示装置６に表示する画像再生が必要なタイミングで、液晶制御コマンドを液晶制御基板４６０に対し送信する。これにより、演出パターンに対応する効果音の再生、または装飾ランプ１３やＬＥＤなどの点灯点滅駆動、あるいは液晶表示装置６による画像表示演出が実現され、時系列的に種々の演出パターンが次々に、あるいは複数同時に展開されることにより、目的とする演出（演出シナリオ）が現出されるようになっている。
【００８５】
斯様な演出態様には、内部抽選結果（当選役情報）を報知する演出（当選役報知演出）、特定の役の当選可能性（当選期待度）を報知する演出（期待演出）、現在の遊技状態を報知する演出（状態報知演出）、入賞が発生した際の演出（後述の入賞演出（払出演出）、特定役の入賞手順を案内する支援演出（後述のアシスト報知）など、遊技進行に関連する演出を広く包含する。
【００８６】
なお、上記演出制御コマンドは、１バイト長のモード（ＭＯＤＥ）と、同じく１バイト長のイベント（ＥＶＥＮＴ）からなる２バイト構成により機能を定義し、ＭＯＤＥとＥＶＥＮＴの区別を行うために、ＭＯＤＥのＢｉｔ７はＯＮ、ＥＶＥＮＴのＢｉｔ７をＯＦＦとしている。これらの情報を有効なものとして送信する場合、モード（ＭＯＤＥ）およびイベント（ＥＶＥＮＴ）の各々に対応してストローブ信号が出力される。すなわち、メインＣＰＵ４０１ｃ（主制御ＣＰＵ）は、送信すべきコマンドがある場合、演出制御部４１０（演出制御基板４２０）にコマンドを送信するためのモード（ＭＯＤＥ）情報の設定および出力を行い、この設定から所定時間経過後に１回目のストローブ信号の送信を行う。さらに、このストローブ信号の送信から所定時間経過後にイベント（ＥＶＥＮＴ）情報の設定および出力を行い、この設定から所定時間経過後に２回目のストローブ信号の送信を行う。ストローブ信号は、サブＣＰＵ４２１ｃ（演出制御ＣＰＵ）が確実にコマンドを受信可能とする所定期間、メインＣＰＵ４０１ｃによりアクティブ状態に制御される。また液晶制御コマンドの送信に際しては、演出制御基板４２０は割り込み用ストローブ信号を発生し、液晶制御基板４６０にＭＯＤＥ信号とＥＶＥＮＴ信号とで構成される２バイト長の液晶制御コマンドを前後して送信する。
【００８７】
また図示はしていないが、演出制御基板４２０の割込端子ＩＮＴは、コマンド伝送ラインのうち、主制御部４００がコマンドを送信する際に出力するストローブ（ＩＮＴ）信号線に接続されており、サブＣＰＵ４２１ｃは、ストローブ信号の入力に基づいて割込を発生させてコマンド受信割込処理用の制御プログラムを実行し、この割込処理において演出制御コマンドが取得されるようになっている。またサブＣＰＵ４２１ｃは、メインＣＰＵ４０１ｃとは異なり、ストローブ信号の入力に基づいて割込が発生した場合には、他の割込に基づく割込処理（定期的に実行されるタイマ割込処理）の実行中であっても、当該処理に割り込んでコマンド受信割込処理を行い、他の割込が同時に発生してもコマンド受信割込処理を優先的に行うようになっている。
【００８８】
＜当選役の種類（当選役種別）、当選役に対応した図柄の組合せ（入賞となる図柄の組合せ：入賞役種別）について：図５＞
図５を参照しながら、本実施形態に係る当選役の種類（当選役種別）、当選役に対応した図柄の組合せ（入賞役種別）、およびその配当（遊技価値）について説明する。図５は、当選役に応じた図柄の組合せとその役名称、その図柄の組合せを成立させるための停止操作手順、および配当を例示したものである。なお、図５の「左回胴」「中回胴」「右回胴」のそれぞれの欄に対応する図柄は、回胴５ａ、５ｂ、５ｃにおける成立ライン（有効入賞ラインまたは後述の疑似入賞ライン）上の停止図柄を示す。また図５の「押し順」の欄は、図柄の組合せを成立させるための停止操作手順として、第１番目の停止操作対象（（以下、第Ｘ番目の停止操作を「第Ｘ停止操作」と称し、「第Ｘ番目に停止操作対象となった回胴」を「第Ｘ停止操作回胴」と略す）となる回胴を示す（図示の「左」は左回胴５ａ、「中」は中回胴５ｂ、「右」は右回胴５ｃを意味する）。ただし、図示の当選役種の中には、当選役に対応する図柄の組合せを成立させる条件として、押し順だけでなく、さらに停止操作タイミングを要するものが含まれる。
【００８９】
本実施形態では、図示ように、複数種類の抽選対象役が設けられている。これら抽選対象役は、「特別役種」に属するものと、「小役種」に属するものとに大別され、さらに当該「小役種」は、‘一般小役種’に属するものと、‘リプレイ（再遊技）役種’に属するものに大別される。上記特別役種は、後述のボーナス遊技への移行契機役となる役種別であり、上記一般小役種は、遊技メダルの払い出しを伴う役種別であり、リプレイ役種は、再遊技を伴う役種別であり、それぞれ異なる性能を有する役として定められている。本実施形態では、特別役種に属するものとして「ＢＢ」が、上記一般小役種に属するものとして「弱スイカ」、「強スイカ」、および「ＡＴ１〜３」が、リプレイ役種に属するものとして「弱チェリー」、「強チェリー」、および「リプレイ１〜３」などが設けられている。また図示の「純ハズレ」とは、上述のいずれの役にも当選しなかった「ハズレ（不当選）」として扱われるものである。
【００９０】
なお上記「再遊技」とは、遊技メダル（遊技媒体）を投入することなく（貯留手段により、またはその他の装置の操作により遊技メダルを遊技の用に供することを含む）、次回のゲーム開始条件を再付与するものであり、具体的には、今回のゲームで使用した遊技媒体量（賭数設定のために投入した遊技メダル枚数）と同一量（同一の枚数）を疑似的に付与（自動投入）して、次回のゲームを開始可能とするものである。この再遊技は、遊技者が遊技メダルを減らすことなく次回のゲームが可能になるという点で、遊技メダルと同様に遊技価値を有するものといえる。
【００９１】
上記した抽選対象役のいずれかが内部抽選により当選役として決定された場合は、その当選役に対応する当選フラグが成立し、遊技結果として、当選役に対応した図柄の組合せが有効入賞ライン上に停止表示することが許容される。そして、各回胴が停止した際、当選役に対応した図柄の組合せが有効入賞ライン上に停止すれば、その図柄の組合せに対応する役が成立したとして、当該図柄の組合せに応じた遊技価値が遊技者に付与されるようになっている。なお本明細書中では、説明の便宜上、特に必要にない限り、遊技者に有利・不利に作用するものを問わず、何らかの遊技価値を伴う特定の図柄の組合せを「入賞役」と称し、この入賞役として扱われる図柄の組合せが有効入賞ライン上に停止することを、特に「入賞」と称する場合がある。
【００９２】
（疑似入賞ライン）
ここで先ず、本発明の理解を容易なものとするために、仮想的な入賞ライン（以下、「疑似入賞ライン」と称する）について説明しておく。
【００９３】
本実施形態では、上記したように、複数種類の抽選対象役が設けられている。これら抽選対象役には、その当選により、少なくとも押し順にかかわらず、対応する役の入賞を許容する「押順不問役（たとえば、後述の弱チェリー、強チェリー、弱スイカ、強スイカ、ＢＢ、リプレイ１）」や、その当選により、少なくとも押し順に応じて異なる役の入賞を許容する「押順規定役（たとえば、後述のＡＴ１〜３、リプレイ２〜３）」が含まれ、これら役により、遊技性を豊富にすることができるようになっている。
【００９４】
このような抽選対象役を多数設けて遊技性の幅を広げる場合、多数の有効入賞ラインを設ける、たとえば、従来の多くの回胴式遊技機に見られるように、図６（Ａ）に示す中段横ラインと、さらに、図６（Ｂ）の破線に示すように、回胴視認部３を横および斜めに横断する形の計４本（図正面から見て、回胴視認部３を右斜め下がりに対角線上に横断する「右下りライン」と、左斜め下がりに対角線上に横断する「左下りライン」と、回胴視認部３を水平方向に横断する上段横ラインと下段横ラインとの４本）の合計５本の入賞ラインが施された所謂「５ライン機」のように（たとえば、パチスロ必勝ガイド編集部編、パチスロ大図鑑「１９６４〜２０００」、日本、株式会社白夜書房，２００７年参照）、多くの有効入賞ラインを設けてしまうと、引き込み制御、役の構成要素図柄種、およびその図柄に関する図柄配列帯２００における図柄配置構成などの関係上、遊技機を設計する上で役構成が複雑化してしまい、抽選対象役の種類やこれに対応する入賞役の種類を制限せざるをえなくなり、遊技性の自由度が阻害されてしまう。
【００９５】
そこで本実施形態では、従来よりも入賞ラインを少ない本数としたもの、たとえば、図６（Ａ）に示す有効入賞ラインのような単一の入賞ラインとする「１ライン機」としている。ここで、上記「１ライン機」のように入賞ラインを少なくした場合、入賞役の種類を豊富にするために、有効入賞ライン上には、一見して「ハズレ目」が如く「バラケ目」を停止させ、これを入賞役として扱うことが必要な場合が生じる。
【００９６】
このため本実施形態では、遊技者に対して役が成立したことを容易に認識させるべく、有効入賞ラインとは別に、従来の５ライン機を模した仮想的な入賞ライン（図６（Ｂ）の破線のライン。以下、「疑似入賞ライン」と称する）を形成して、この疑似入賞ライン上に、遊技者が入賞したと認知し易い特定の図柄の組合せを停止させることで、当選役に対応した入賞が発生したことを遊技者に知得させうるようになっている。
【００９７】
これについて図６および図７を参照して具体的に説明する。図７は、ＡＴ１が当選した場合の有効入賞ライン上と疑似入賞ライン上とに停止する図柄の組合せを例示した図である。なお詳細は後述するが、ＡＴ１は、押し順に応じて、配当９枚が得られる‘９枚ＡＴ役’か、またはそれよりも遊技価値が低い配当１枚が得られる‘１枚ＡＴ役’が入賞する、といった押順規定役に属するものである。
【００９８】
図７（イ）に、第１停止操作回胴が左回胴５ａであった場合の全回胴停止時の停止図柄の組合せを、図７（ロ）に第１停止操作回胴が左回胴５ａ以外であった場合の全回胴停止時の停止図柄の組合せを示す。
【００９９】
図７を参照して、ＡＴ１が当選した場合において、第１停止操作回胴が左回胴５ａであった場合、有効入賞ラインである‘中段横ライン’上には「ＲＰ」−「チェリー」−「スイカ」という、一見して、ハズレのようなバラケ目が停止し（図７（イ）参照）、第１停止操作回胴が左回胴５ａ以外であった場合も「ＲＰ」−「ベル」−「ベル」という、一見して、ハズレのようなバラケ目が停止するようになっている（図７（ロ）参照）。しかし、疑似入賞ラインの観点から見ると、第１停止操作回胴が左回胴５ａであった場合には、遊技者が入賞したと認知し易い図柄の組合せとして、疑似入賞ラインである‘上段横ライン’上に「ベル」−「ベル」−「ベル」（上段ベル揃い）を停止させ、これを９枚ＡＴ役入賞時の停止図柄の組合せとして導出表示するようになっており、他方、第１停止操作回胴が左回胴５ａ以外であった場合には、疑似入賞ラインである‘右下りライン’上に必ず「ベル」−「ベル」−「スイカ」（斜めベルスイカ揃い）を停止させ、これを１枚ＡＴ役入賞時の停止図柄の組合せとして導出表示するようになっている（図７、図５のＡＴ１の「成立ライン」の欄参照）。ここで混同してはならないのは、上記した「バラケ目」がＡＴ１当選により有効入賞ライン上に停止することが許容される図柄の組合せであり、これが実際のＡＴ１に対応する図柄の組合せ（入賞役（真の入賞役））として定められている点である。したがって、疑似入賞ライン上に停止する図柄の組合せは、有効入賞ライン上に停止する真の入賞役の代替の図柄の組合せとして導出表示される仮想的な入賞役（仮想入賞役）となっている。
【０１００】
このように、有効入賞ライン上には、一見して、バラケ目のような図柄の組合せを停止させるが、疑似入賞ライン上には、特殊な図柄の組合せを停止させ、これにより、遊技者が入賞の発生を把握し易いようになっている。なお、疑似入賞ライン上に停止させる図柄の組合せについては、遊技者が認識し易い図柄の組合せが好ましく、たとえば、小役であれば、従来から小役の構成要素図柄として多用されてきた「果物」や「野菜」や「特定のアイテム」を模した図柄種（たとえば、チェリー、スイカ、またはベルの図柄）からなる図柄の組合せが、リプレイ役であれば、たとえば「ＲＥＰＬＡＹ」や「ＣＨＡＮＣＥ」などの文字が付されたリプレイ用の特殊な図柄種（たとえば、ＲＰ図柄）からなる図柄の組合せが好ましい。しかしこれに限らず、リプレイ役であっても「果物」や「野菜」や「特定のアイテム」を模した図柄種からなる図柄の組合せを採用しても良いし、特定の当選役の場合は、疑似入賞ライン上に、バラケ目のような図柄の組合せを停止させても良く、目的に応じて、その図柄の組合せは適宜変更することができる。
【０１０１】
再び図５に戻り、本実施形態に係る当選役の種類（当選役種別）、当選役に対応した図柄の組合せ（入賞役種別）について説明する。なお以下では、説明の便宜上、図５の図柄の組合せの欄については、有効入賞ライン（中段横ライン）または疑似入賞ライン（上段横ライン、下段横ライン、右下りライン、左下りライン）上の停止図柄の組合せ（実際の入賞役または仮想入賞役）を、当選役に対応する図柄の組合せとして説明する。また図示の「成立ライン」の欄には、その図柄の組合せが停止しうる入賞ラインを表記してある。
【０１０２】
（一般小役種：弱スイカ、強スイカ、ＡＴ１〜３）
先ず、一般小役種に属する当選番号３〜７の弱スイカ、強スイカ、およびＡＴ１〜３について説明する。
【０１０３】
（弱スイカ、強スイカ）
まず、当選番号３〜４の弱スイカ、強スイカについて説明する。
【０１０４】
図５に示すように、弱スイカの当選により入賞が許容される図柄の組合せは、「スイカ」−「スイカ」−「スイカ」の図柄の組合せ（斜めスイカ揃い）となっており、この図柄の組合せ（斜めスイカ揃い）の成立ラインは、‘右下りライン’となっている。
【０１０５】
また、強スイカの当選により入賞が許容される図柄の組合せは、「スイカ」−「スイカ」−「スイカ」の図柄の組合せ（中段スイカ揃い）となっており、この図柄の組合せ（中段スイカ揃い）の成立ラインは、‘中段横ライン’となっている。
【０１０６】
上記スイカ役（斜めスイカ揃い、または中段スイカ揃い）が入賞した場合には、配当として、所定枚数の遊技メダル（たとえば、遊技メダル３枚）が払い出されるようになっている。ただし、その構成要素図柄であるスイカ図柄の図柄配置構成の関係上、図示のスイカ役が入賞するには所定の停止操作タイミングを要することになる。具体的には、回胴の停止操作タイミングが所定の操作タイミングである場合に限り、該当する成立ライン上に、当選したスイカ役に対応する図柄の組合せが停止するようになっている。これは、中回胴５ｂにおいて、スイカ図柄の引き込み率が１００％未満となるように配置されているためである（図２参照）。なお、弱スイカおよび強スイカは、その当選に起因して（契機として）、後述のＡＴ遊技への移行抽選契機となる「ＡＴ移行抽選契機役」として機能する。
【０１０７】
また上記の弱スイカまたは強スイカは、その当選により、少なくとも押し順によらず、特定の入賞役の入賞を許容する役（押順不問役）となっている。この点、後述のＡＴ１〜３や特定のリプレイ役種（リプレイ２〜３）のように、その当選により、少なくとも押し順に応じて異なる入賞役が入賞し得る「押順規定役」とは性質を異にする。
【０１０８】
（ＡＴ１〜３）
次に、当選番号５〜７のＡＴ１〜３について説明する。
【０１０９】
ＡＴ１〜３は、少なくとも押し順に応じて異なる入賞役が入賞し得る「押順規定役」として定められており、所定数の遊技用価値の付与を伴う押順規定役として機能する。
【０１１０】
具体的には、ＡＴ１は第１停止操作回胴が左回胴５ａである場合に、ＡＴ２は第１停止操作回胴が中回胴５ｂである場合に、ＡＴ３は第１停止操作回胴が右回胴５ｃである場合に、遊技価値が相対的に高い入賞役（たとえば、配当９枚とする‘９枚ＡＴ役’）が有効入賞ライン上に停止し、それ以外の回胴を第１停止操作として選択した場合には、当該役よりも遊技価値が低い入賞役（たとえば、配当１枚とする‘１枚ＡＴ役’）が有効入賞ライン上に停止するように定められている。これは、ＡＴ１〜３が少なくとも押し順に応じて、遊技者にとって有利に作用し得る遊技価値を伴う入賞役（有利入賞役）、または不利に作用し得る遊技価値を伴う入賞役（不利入賞役）が遊技結果として導出表示され得ることを意味する。なお各回胴５ａ、５ｂ、５ｃのいずれが第１〜第３停止操作回胴に該当するか否かは、主制御部４００がその機能部を担う「停止操作順番監視手段」により把握されている。この停止操作順番監視手段は、各回胴の回転状態および停止状態を監視し、回転中の回胴と停止中の回胴とに基づき、停止操作対象となった回胴が何番目の停止操作対象であるか、つまり「押し順」を把握している。
【０１１１】
上記したＡＴ１〜３は、主として、９枚ＡＴ役や１枚ＡＴ役を停止させるための押し順が異なる点を除き、その他の内容は実質的に同じであるので、以下では重複記載を避けるために、「ＡＴ１」を代表例にとり説明する。
【０１１２】
（ＡＴ１について）
図５に示すように、ＡＴ１の当選により入賞が許容される図柄の組合せは、（１）「ベル」−「ベル」−「ベル」の図柄の組合せ（上段ベル揃い（上記９枚ＡＴ役に相当する））と、（２）「ベル」−「ベル」−「スイカ」の図柄の組合せ（斜めベルスイカ揃い（上記１枚ＡＴ役に相当する））との計２種類の図柄の組合せとなっている。このＡＴ１による上記９枚ＡＴ役の成立ラインは、‘上段横ライン’となっており、また上記１枚ＡＴ役の成立ラインは、‘右下りライン’となっている。
【０１１３】
詳述するに、内部抽選によりＡＴ１が当選役として決定された場合、上記９枚ＡＴ役（上段ベル揃い）および１枚ＡＴ役（斜めベルスイカ揃い）が入賞許容状態に置かれることになる。したがって、ＡＴ１は、その当選により、９枚ＡＴ役の入賞を許容する役と、１枚ＡＴ役の入賞を許容する役とに重複当選可能な役、つまり一回の内部抽選で複数種類の役に同時当選可能な「重複役」としての性質を有するものといえる。本実施形態では、上記「重複役」のように、当選役とその当選役により許容される停止図柄態様（入賞役）とを１対Ｎに対応させた抽選対象役を設け、一つの当選役に対して、これを実効化するための停止図柄態様を複数種類設けることで、遊技内容の豊富化を図っている。このような重複役として性質を有するものには、ＡＴ１〜３の他、後述のリプレイ２〜３がある。
【０１１４】
上記ＡＴ１当選により入賞が許容される上記の２種類の図柄の組合せのうち、いずれの図柄の組合せが有効入賞ライン上に停止するか否かは、既に説明したように、押し順に応じて定まり、第１停止操作回胴が左回胴５ａである場合には９枚ＡＴ役が、第１停止操作回胴が左回胴５ａ以外である場合には１枚ＡＴ役が、該当する成立ライン上に停止されるようになっている。
【０１１５】
（ＡＴ２〜３について）
ＡＴ２〜３の当選により入賞が許容される図柄の組合せは、１枚ＡＴ役については、上記ＡＴ１と同様に、「ベル」−「ベル」−「スイカ」の図柄の組合せ（斜めベルスイカ揃い）が‘右下りライン‘上に停止するようになっており、他方、９枚ＡＴ役については、上記ＡＴ１とは異なり、「ベル」−「ベル」−「ベル」の図柄の組合せ（下段ベル揃い）が‘下段横ライン‘上に停止するようになっている（図５のＡＴ２〜３の欄参照）。
【０１１６】
なお本実施形態では、上記した９枚ＡＴ役および１枚ＡＴ役は、押し順さえ一致すれば回胴の停止操作タイミングによらず、その図柄の組合せが該当する成立ライン上に停止するようになっている。しかし本発明はこれに限らず、停止操作タイミングに応じて、９枚ＡＴ役および／または１枚ＡＴ役の取りこぼしを発生しうる図柄配置構成としても良い。この場合、ＡＴ遊技の関係上、１枚ＡＴ役は取りこぼしを発生しうるようにし、９枚ＡＴ役は取りこぼしを発生させないようにすることが好ましい。
【０１１７】
（リプレイ役種：弱チェリー、強チェリー、リプレイ１〜３）
次に、リプレイ役種に属する当選番号１〜２、８〜１０の弱チェリー、強チェリー、リプレイ１〜３について説明する。
【０１１８】
（弱チェリー、強チェリー）
まず、当選番号１〜２の弱チェリー、強チェリーについて説明する。
【０１１９】
図５に示すように、弱チェリーの当選により入賞が許容される図柄の組合せは、「チェリー」−「ＲＰ」−「ＡＮＹ（「ＡＮＹ」とは、図柄種は問わないという意味である）」の図柄の組合せ（角チェリー）となっており、この図柄の組合せの成立ラインは、‘右下りライン’となっている。
【０１２０】
また強チェリーの当選により入賞が許容される図柄の組合せは、「チェリー」−「チェリー／スイカ」−「チェリー」の図柄の組合せ（中段チェリー）となっており、この図柄の組合せの成立ラインは、‘中段横ライン’となっている。
【０１２１】
上述の弱チェリーまたは強チェリーは「押順不問役」に属し、これに対応する図柄の組合せを停止させるための停止操作タイミングを必要としない。つまり、弱チェリーまたは強チェリーが当選した場合、どのような停止操作手順であっても、角チェリーまたは中段チェリーの入賞が発生し、配当として「再遊技」が付与される。なお、上記強チェリーは、その当選に起因して、後述のＡＴ遊技への移行抽選契機となる「ＡＴ移行抽選契機役」として機能する。
【０１２２】
（リプレイ１）
次に、当選番号８のリプレイ１について説明する。
【０１２３】
図５に示すように、リプレイ１の当選により入賞が許容される図柄の組合せは、「ＲＰ」−「ＲＰ」−「ＲＰ」の図柄の組合せ（通常リプレイ）となっており、この図柄の組合せの成立ラインは、‘右下りライン’となっている。なお、リプレイ１は「押順不問役」に属し、これに対応する図柄の組合せを停止させるための停止操作タイミングを必要としない。つまり、リプレイ１が当選した場合、どのような停止操作手順であっても、通常リプレイの入賞が発生し、配当として「再遊技」が付与される。
【０１２４】
（リプレイ２〜３）
次に、当選番号１０〜１１のリプレイ２〜３について説明する。
【０１２５】
リプレイ２〜３は、上記「押順規定役」として定められている。図５に示すように、リプレイ２の当選により入賞が許容される図柄の組合せは、（１）「ベル」−「ベル」−「ベル」の図柄の組合せ（中段ベルリプレイ）と、（２）「青７」−「青７」−「青７」の図柄の組合せ（青７揃い：特殊リプレイ１）の計２種類の図柄の組合せとなっている。また、リプレイ３の当選により入賞が許容される図柄の組合せは、（１）「ベル」−「ベル」−「ベル」の図柄の組合せ（中段ベルリプレイ）と、（２）「赤７」−「赤７」−「赤７」の図柄の組合せ（赤７揃い：特殊リプレイ２）の計２種類の図柄の組合せとなっている。なお、上記中段ベルリプレイまたは特殊リプレイの成立ラインはいずれも‘中段横ライン’となっており、当該中段ベルリプレイまたは当該特殊リプレイが入賞した場合には、配当として、「再遊技」が付与される。
【０１２６】
上記リプレイ２〜３についても上述したＡＴ１〜３と同事象のように、いずれの図柄の組合せが有効入賞ライン上に停止するか否かは、押し順により決定される。具体的には、第１停止操作回胴が左回胴５ａである場合には、その停止操作タイミングによらず、中段ベルリプレイが中段横ライン上に停止し、第１停止操作回胴が左回胴５ａ以外である場合には、その停止操作タイミングによらず、特殊リプレイが中段横ライン上に停止するようになっている。
【０１２７】
ここで図示の特殊リプレイはその一例を示したものである。本実施形態では、スイカ役と同事象のように、赤７図柄や青７図柄（特殊リプレイの構成要素図柄）の図柄配置構成の関係上、図示の特殊リプレイが入賞するには所定の停止操作タイミングを要することになる。しかし、赤７図柄や青７図柄を有効入賞ライン上に引き込み不可能な停止操作タイミングで回胴が停止操作された場合には、特殊リプレイの取りこぼしが発生し、その取りこぼし目として、特定の図柄の組合せ（特定リプレイ（図示せず））が必ず‘中段横ライン’上に停止し、この場合も特殊リプレイと同等の遊技価値（再遊技＋ＡＴ移行）が付与されるようになっている。なお、上記リプレイ２またはリプレイ３は、その当選に起因して（または特殊リプレイの入賞に起因して）、後述のＡＴ遊技への移行契機となる「ＡＴ移行契機役」として機能する。
【０１２８】
（特別役種：ＢＢ）
次に、当選番号１２のＢＢについて説明する。
【０１２９】
ＢＢの当選により入賞が許容される図柄の組合せは、「青７」−「青７」−「赤７」の図柄の組合せ（ボーナス役）となっており、この図柄の組合せの成立ラインは、‘中段横ライン’となっている。このＢＢは「押順不問役」となっているが、引き込み制御の関係上、停止操作タイミングが所定のタイミングである場合に限り、その図柄の組合せが中段横ライン上に停止可能となっている。このため、ボーナス役を中段横ライン上に引き込み不可能な停止操作タイミングで回胴が停止操作された場合、ＢＢの取りこぼしが発生するようになっている。
【０１３０】
上記ボーナス役が入賞した場合、次回のゲームから、遊技者に有利な特別遊技状態（ボーナス遊技）に移行される。このボーナス遊技中においては、ＡＴ１の当選確率が著しく高まり、第１停止操作回胴に左回胴５ａを選択すれば、ほぼ毎ゲーム、９枚ＡＴ役を獲得することができる。このため、ボーナス遊技が発生すると、１ゲーム当りの平均獲得遊技メダル枚数が他の遊技状態よりも増加し、遊技者は短いゲーム期間で大量の遊技メダルを獲得することができるようになっている。また上記ボーナス遊技は、所定枚数の遊技メダルの払い出し（たとえば、１０３枚）があると終了する。なお上記ＢＢは、性能の異なる複数種類のＢＢを設けることができる。たとえば、ボーナス遊技の終了条件が異なるＢＢ１（たとえば、払い出し枚数１０３枚で終了）と、ＢＢ２（たとえば、払い出し枚数２０６枚で終了（ＢＢ１よりも利益が相対的に高い））とを設けることができる。
【０１３１】
＜ＢＢの持ち越しについて＞
上記ＢＢは、その当選フラグを次回以降のゲームに持ち越し可能な「持越役」として設定されている。このため、ＢＢに当選した場合においては、これに対応する図柄の組合せ（ボーナス役）が入賞するまでの遊技期間、その当選フラグの成立状態が維持される。このＢＢの当選フラグが持ち越されている状態を「ボーナス持越遊技」と称する。一方、ＢＢ以外の役は、その当選フラグを次回のゲームに持ち越すことができない「持越不可能役」として設定されている。なお、上記ボーナス持越遊技中においても、通常通りに各役の抽選が行われる。このため、ボーナスの当選情報と他の役の当選フラグとが同時に成立する重複当選状態が発生し得る。このような場合、いずれの当選役に対応する図柄の組合せを入賞させるかどうかは、所定の引き込み優先順位に基づいて決定される。なお本実施形態では、リプレイ役種、一般小役種、および特別役種（ＢＢ）に関し、いずれの当選役に対応する図柄の組合せを停止させるかを、「リプレイ役種＞一般小役種＞特別役種」の順位で優先的に引き込み制御が行われるように定めてある（所謂、小役優先制御）。これにより、上述の重複当選中のゲームにおいては、この引き込み優先順位の下で回胴の停止制御が行われることになる。
【０１３２】
（ＡＴ遊技について）
本実施形態に係る回胴式遊技機では、主制御部（主制御基板）４００側で制御される基本的な遊技状態の他、副制御部（演出制御部４１０）側で制御される追加的な遊技状態が設けられている。主制御部側で制御される遊技状態（主制御側遊技状態）には、通常遊技と上記ボーナス遊技があり、演出制御部４１０側で制御される遊技状態（演出制御側遊技状態（演出状態））にはＡＴ（アシストタイム）遊技がある。
【０１３３】
（ＡＴ遊技）
ＡＴ遊技とは、役の抽選結果に関連する情報を、液晶表示装置６、装飾ランプ部１３、スピーカ１６などの演出手段を用いて、画像表示演出、効果音、光演出などにより遊技者に報知する特典遊技状態である。このＡＴ遊技は、主制御部４００側で制御される遊技状態（通常遊技やボーナス遊技）とは異なり、演出制御部４１０側で制御される遊技状態（演出状態）である。このＡＴ遊技は、演出制御部４１０がその機能部を担う「演出状態管理手段」によりその発生および終了が管理制御され、演出状態管理手段は、通常の演出状態（非ＡＴ遊技：通常演出状態）およびＡＴ遊技を含む複数種類の演出状態を統括的に管理している。詳しくは、上記演出状態管理手段は、当選役に関する情報を報知する報知状態として、通常報知状態（たとえば、非ＡＴ遊技）と、当該通常報知状態よりも遊技者に有利に作用し得る有利報知状態（たとえば、ＡＴ遊技）とを含む複数種類の報知状態を管理制御する報知状態管理制御手段として機能する。
【０１３４】
本実施形態では、既に説明したように、複数種類の押順規定役として、ＡＴ１〜３が設けられている。しかし非ＡＴ遊技中においては、これらの役に当選しても、遊技者に有利に作用する有利入賞役（９枚ＡＴ役）の入賞を案内するための情報は遊技者に報知されず、有利入賞役を入賞させるためには、押し順が偶然一致した場合に限られる。したがって上記非ＡＴ遊技中は、ＡＴ遊技中よりも遊技者に不利なゲーム展開がなされることになる。
【０１３５】
これに対しＡＴ遊技中においては、ＡＴ１〜３が決定された場合、９枚ＡＴ役の入賞を案内するための情報（９枚ＡＴ役入賞を案内する停止操作手順）が報知されるようになっている。このような報知演出を「アシスト報知」と称する。たとえば、ＡＴ１〜ＡＴ３のいずれかに当選した場合、配当が相対的に高い‘９枚ＡＴ役’を入賞させるために、第１停止操作に選択すべき回胴情報、つまり、９枚ＡＴ役入賞に向けての押し順が遊技者に報知される。具体的には、ＡＴ１であれば左回胴５ａを、ＡＴ２であれば中回胴５ｂを、ＡＴ３であれば右回胴５ｃを、第１停止操作回胴に選択すべき旨が報知される。これにより、遊技者がそのアシスト報知の内容に従い回胴を停止操作すれば、容易に９枚ＡＴ役を入賞させることができる。したがって上記ＡＴ遊技中は、非ＡＴ遊技中よりも遊技者に有利なゲーム展開がなされることになる。
【０１３６】
本実施形態では、抽選対象役のうち、強チェリー、弱スイカ、または強スイカに当選した場合、これら役ごとに定められたＡＴ抽選確率に基づき、ＡＴ遊技への移行抽選が行われる（図５の配当の欄参照）。なお、ＡＴ抽選確率は、役ごとに適宜設定することができるが、役の当選確率を考慮し、当該当選確率が相対的に低い順にＡＴ抽選確率が高く定めることが好ましい。たとえば、強スイカ８０％、強チェリー５０％、弱スイカ２５％という具合である。
【０１３７】
このＡＴ抽選に当選すると、ＡＴ遊技への移行契機となる「ＡＴ移行契機役」の入賞を案内する停止操作手順（本実施形態では、特殊リプレイの押し順）が報知される。本実施形態では、上記ＡＴ抽選に当選すると、リプレイ２またはリプレイ３の当選を契機に、ＡＴ移行となる青７揃い（特殊リプレイ１）または赤７揃い（特殊リプレイ２）を成立させることを促すアシスト報知（特殊リプレイの入賞手順）が発生する。このアシスト報知が発生中に、当該特殊リプレイが入賞すると、ＡＴ遊技が発生するようになっている。ただし、上記特殊リプレイのアシスト報知未発生の下において、特殊リプレイの入賞手順（第１停止操作回胴を左回胴５ａ以外とする押し順）を実行したことにより上記特殊リプレイが入賞しても、ＡＴ遊技には移行されないようになっている。これにより、遊技者の恣意的な停止操作によるＡＴ遊技発生を制限している。
【０１３８】
上記ＡＴ遊技は、所定の終了条件が成立すると終了される。終了条件については遊技性に応じて適宜定めることができる。たとえば、所定のゲーム数（たとえば、５０ゲーム）まで継続されるといったゲーム数管理型のＡＴ遊技であっても良いし、所定のゲーム数（たとえば、３０ゲーム）を１セットとし、当該１セット終了ゲーム時に、所定の継続抽選（たとえば、継続率５０％）を行い、これに当選すると、再度、１セットが継続されるといった継続率管理型のＡＴ遊技であっても良い。
【０１３９】
なお、リプレイ１またはリプレイ２が当選した場合は、既に説明したように、押し順さえ一致すれば、停止操作タイミングによらず、特殊リプレイまたは特定リプレイが有効入賞ライン上に必ず停止して、ＡＴ遊技の発生権利を遊技者が得ることができるようになっている。つまり、上記特殊リプレイや特定リプレイのように、引き込み率１００％の入賞役によりＡＴ遊技に移行させる場合、リプレイ１またはリプレイ２が内部当選した当該ゲームでＡＴ遊技移行が確定し、次回ゲームからＡＴ遊技が発生するようになっている（所定のゲーム数を消化してから（前兆期間を経由してから）ＡＴ遊技を発生させても良い）。したがって、演出制御部４１０側では、リプレイ１またはリプレイ２が当選を契機として、ＡＴ遊技移行設定処理を行っても良いし、特殊リプレイまたは特定リプレイの入賞を契機としてＡＴ遊技移行設定処理を行っても良い。これにより、上記特殊リプレイのアシスト報知発生時において、遊技者が目押しに失敗して、折角獲得したＡＴ遊技移行権利を得ることができない、といった不利益が生じることがなく、遊技技術の巧拙によらず、特殊リプレイのアシスト報知発生時おける利益（ＡＴ遊技移行）を享受することができるので、遊技初心者も安心して遊技に興じることができるようになっている。
【０１４０】
（不正規手順によるペナルティ）
本実施形態では、ＡＴ１〜ＡＴ３のうち、ＡＴ２〜ＡＴ３の当選確率をＡＴ１よりも高めて、ＡＴ遊技が発生すれば、ＡＴ１〜ＡＴ３の当選を契機として９枚ＡＴ役に係るアシスト報知を行い、遊技者にこれを高確率で獲得させるようになっている。このような遊技性を持つ関係上、遊技者の自由な停止操作を許容すると、設計者が想定する範囲を超えて出玉率（機械割）が変化してしまう場合がある。詳述すれば、ＡＴ１の当選確率は５８０／６５５３６、ＡＴ２またはＡＴ３は、２０５００／６５５３６となっており、仮に、遊技者の自由な停止操作を許容するとすれば、順押し（左回胴５ａを第１停止操作対象とした場合）と変則押し（左回胴５ａ以外を第１停止操作対象とした場合）とでは、変則押しを毎ゲーム実行した方が遊技メダルを順押し時よりも減らさずにＢＢやＡＴ抽選移行契機役の当選を待つことができてしまい、遊技性のバランスが崩れてしまう。
【０１４１】
そこで、正規手順でない回胴回転停止ボタン１２の停止操作が行われた場合には、遊技者に不利益に作用するペナルティを発生させるようになっている。具体的には、アシスト報知またはＡＴ遊技未発生下で変則押しをした場合、これを正規手順ではない「不正規手順」が実行されたとして、所定のペナルティが科すようになっている。ペナルティの内容としては、たとえば、所定のゲーム数間（たとえば、１０ゲーム）、ＡＴ抽選契機役に当選しても、上記ＡＴ抽選自体を実行しないようにしたり、ＡＴ抽選は実行するがこれに当選しても、特殊リプレイのアシスト報知を現出しないようにしたりする。このように、上記ＡＴ抽選契機役に当選してもＡＴ遊技への移行抽選を無効化したり、アシスト報知の実行を無効化したりすることで、当該正規手順を遊技者に守らせ、遊技者の恣意的な停止操作により出玉率が想定範囲外になってしまうことを防止している。
【０１４２】
（入賞演出の現出制御について）
本実施形態では、当選役に対応する図柄（入賞役）が有効入賞ライン上に停止した場合、役が入賞した旨を報知する「入賞演出」が現出されるようになっている。この入賞演出は、たとえば、スピーカ１６（音出力手段）による音演出（効果音）や、装飾ランプ部１３や遊技機に適所に配置されたＬＥＤなど（発光手段）による光演出や、液晶表示装置６（画像表示手段）による画像表示演出により現出され、これにより、遊技者に対し入賞が発生した旨を報知することができるようになっている。
【０１４３】
上記スピーカ１６による音演出としては、たとえば、入賞役種別に対応した「入賞音」や、入賞音とは別に現出され、遊技メダルの払い出しがあるごとに発生する「メダル払出音」などが挙げられる。上記「入賞音」には、特定の入賞役（たとえば、ボーナス役、特殊リプレイ）が入賞した場合に発生される「特殊入賞音」や、遊技メダルの払い出しを伴う入賞役が入賞した場合に、遊技メダルの払い出し（クレジット加算時を含む）に対応して発生される「入賞時払出音」が含まれる。
【０１４４】
なお「入賞時払出音」は、上記メダル払出音と連動するように発生させるようになっており、このため、ホッパーユニット５００による遊技メダルの払い出し処理が終了するまで、その効果音を現出（発生）させることが好ましい。この場合、払い出しの途中でホッパーユニット５００に貯留されている遊技メダルが無くなった場合においては、入賞時払出音が鳴り続けることになる。ただし本実施形態では、払い出しの途中でホッパーユニット５００に貯留されている遊技メダルが無くなり、所定時間、払いだすべき遊技メダルの払い出し処理が完了しない場合は、所定のエラー処理（ホッパーエラー）が実行されるようになっており、ホッパーエラー発生時には、入賞時払出音が終了され、当該エラーに係るエラー報知音が発生されるようになっている。
【０１４５】
なお上述のように、ホッパーユニット５００による遊技メダルの払い出しが終了するまで、入賞時払出音を現出（発生）させる、といった構成でなくても良く、たとえば、ホッパーユニット５００による遊技メダル１枚の払い出し性能を考慮し、入賞時払出音の出力時間幅が、あらかじめ定められた時間幅であっても良い。たとえば、ホッパーユニット５００が遊技メダル１枚を払い出すために要する平均的時間を約１００ｍｓとすれば、遊技メダル３枚の払い出しを伴う斜めスイカ揃いや中段スイカ揃いの場合は３００ｍｓ程度（１００ｍｓ×遊技メダル３枚分の払い出し時間）、遊技メダル９枚の払い出しを伴う９枚ＡＴ役の場合は９００ｍｓ程度（１００ｍｓ×遊技メダル９枚分の払い出し時間）に定めることができる。
【０１４６】
また装飾ランプ部１３やＬＥＤによる光演出としては、たとえば、入賞役種別に応じた光演出（入賞役報知光演出）が挙げられる。たとえば、スイカならば緑色に、チェリーならば赤色に、ベルならば黄色に、リプレイならば青色に、という具合に、入賞役種別に応じて発光色を変化させる。
【０１４７】
また上記光演出には、上記図柄照射用バックライトＬＥＤによる光演出（図柄照射演出）を含むことができる。上記図柄照射用バックライトＬＥＤによる光演出では、成立ライン上の入賞役（仮想入賞役を含む）に対応する停止図柄を、所定の光演出態様（所定の発光態様）で照射することができる。たとえば、９枚ＡＴ役であれば、疑似入賞ラインである‘上段横ライン’上に停止した各ベル図柄（上段ベル揃い）を点滅または点灯表示させる。
【０１４８】
また、液晶表示装置６による画像表示演出としては、入賞役種別に応じて、入賞が発生した旨を画像表示演出（入賞時画像表示演出）により報知することができるようになっている。たとえば、ボーナス役や、特殊リプレイ（アシスト報知発生時が条件）が入賞した場合は、画像表示により、これを祝福する画像表示演出（祝福演出）を現出させたり、当選役種別または入賞役種別に応じた画像表示演出を現出させたりすることができる。
【０１４９】
なお、斯様な入賞時画像表示演出には、入賞が発生した際の入賞演出とは別に、当選役を取りこぼした場合に現出される取りこぼし時の画像表示演出を含むことができる。たとえば、スイカ役（弱スイカまたは強スイカ）に当選し、これを取りこぼした場合には、入賞演出（入賞による音演出（入賞音）、または光演出（たとえば、装飾ランプ部１３が上記緑色を呈する光演出、あるいは図柄照射用バックライトＬＥＤにより‘斜めベルスイカ揃い’を照射する光演出）などの入賞演出）は実行されないが、液晶表示装置６には、当選したスイカ役を取りこぼした旨を報知（示唆）する画像表示演出を現出させることができる。
【０１５０】
（払出演出）
以上に説明した入賞演出の演出態様には、遊技メダル（遊技媒体）の払い出しを伴う役が入賞した場合において、その遊技メダルの払い出し（クレジット加算時を含む）に対応して現出される「払出演出」が含まれる。以下、説明の便宜上、遊技メダルの払い出しの伴わない入賞役に係る入賞演出と区別するために、遊技メダルの払い出しを伴う入賞役が入賞に起因して、当該遊技メダル（遊技媒体）の払い出しに対応して現出される入賞演出の一態様を「払出演出」と称する場合がある。
【０１５１】
（払出演出の制限について）
ここで上記「払出演出」に関し、ＡＴ役（ＡＴ１〜３）のように、配当が多い有利入賞役と、配当が少ない不利入賞役とが押し順により割り当てられている押順規定役の場合、有利入賞役および不利入賞役と問わず、これら役が入賞した場合に、一律に、上記払出演出を実行させてしてしまうと、遊技者がその演出が煩わしく感じ、不快感を受けてしまう、といった問題を招来する。そこで本実施形態では、不利入賞役の場合、上記払出演出の実行を制限可能に構成し、この問題を解決している。これについて、以下、詳細に説明する。
【０１５２】
本実施形態では、上記した正規手順を守らせることにより、ＡＴ２またはＡＴ３が当選した場合、遊技者が獲得できるのは有利入賞役の「９枚ＡＴ役」でなく、不利入賞役の「１枚ＡＴ役」とされる。そして、正規手順をなすことが遊技者に有利に作用する遊技期間（正規手順厳守期間）は、主として通常遊技状態中（非ＡＴ遊技中）であり、役の当選確率により（たとえば、ＡＴ抽選契機役、ＢＢの当選確率参照）その期間は比較的長期間に及ぶ。特に本実施形態のように、ＡＴ２またはＡＴ３が他の役よりも高確率で当選するような場合、正規手順厳守期間においては、高確率で１枚ＡＴ役が入賞することになる。特に本実施形態では、上記１枚ＡＴ役は、最小数の遊技メダルを払い出し（配当が遊技メダル１枚の払い出し）伴う入賞役となっている。
【０１５３】
上記のような１枚ＡＴ役に係る払出演出を実行させた場合であっても、払い出しに対応して現出される払出演出の実行期間は非常に短期間であり、その演出を実行させる意味合いが乏しいといえる。また上記払出演出が発生した場合、通常、遊技者は、その払出演出に意識が向いてしまうため、一々、当該１枚ＡＴ役に係る払出演出を発生させるとすれば、遊技者の中には、あまり意味の成さない演出により、遊技の進行が妨げられると感じてしまう遊技者も多く、特に遊技中級者〜上級者にとっては、不快感を受けているのが実情である。また本実施形態のように、遊技開始条件となる賭数（規定賭数（規定投入枚数））が、１枚ＡＴ役による配当よりも多い枚数の遊技メダルの投入（賭数の設定）が必要である場合、今回のゲームで１枚ＡＴ役が入賞しても、その入賞前のクレジット枚数が所定枚数以上（本実施形態では、規定投入枚数が遊技メダル３枚となっているので、クレジット枚数が２枚以上）なければ、次回ゲームを開始する際、遊技者はメダル投入口７から遊技メダルを手入れすることを要し、仮に、斯様な１枚ＡＴ役が入賞したとしても、利便性に優れる「ＭＡＸベットボタン８」を利用する機会も少なく、当該役の入賞を報知しなかったとしても、遊技者が特に不便さを感じることも少ないと考えられる。
【０１５４】
このように、不利入賞役の入賞があったかどうかについては、遊技者に明確に知らせる必要性に乏しく、また不利入賞役について、逐一上記払出演出を実行させて、これを報知するとすれば、遊技者にとっては煩わしい。特に本実施形態のように、不利入賞役の配当が、たとえば、規定枚数未満の遊技メダルの払い出しの場合、特に、最小数である遊技メダル１枚（単一の遊技媒体）の払い出しである場合や、そのような不利入賞役が高確率で入賞しうる場合においては、その問題は顕著化する。
【０１５５】
そこで本実施形態では、遊技メダルの払い出し伴う押順規定役（たとえば、ＡＴ１〜３）において、有利入賞役（たとえば、９枚ＡＴ役）の場合は払出演出を実行し、それよりも配当の少ない不利入賞役（たとえば、１枚ＡＴ役）の場合は払出演出を実行しないように制御している。これにより、遊技者が受ける煩わしさを解消することができるようになっている。また、余計な払出演出を実行しないように制御することで、演出制御動作処理の制御負担を軽減することができる。
【０１５６】
また、不利入賞役の場合には上記払出演出を実行しないことに伴い、当該不利入賞役については、有利入賞役のように、同一または類似の図柄の組合せからなる入賞役とすることでその入賞を、回胴視認部３を通じて明確に報知する必要性に乏しく、また有利入賞役との混同を避ける必要もある。したがって、不利入賞役は、同一の図柄の組合せからなる入賞役ではなく、不利入賞役を構成する図柄の組合せのうち、少なくとも１つの図柄が異なる図柄であることが好ましく、より好ましくはすべての図柄が異なる図柄種で構成される「バラケ目」である。また、不利入賞役が入賞した場合、いずれの成立ライン上にも同一の図柄の組合せが停止表示していないことが好ましい。換言すれば、不利入賞役が遊技結果として導出表示された場合、たとえば、図７（ロ）に示すように、回胴視認部３から遊技結果を視認可能な領域（本実施形態では、図６または図７に示すように、９個の図柄が視認可能な領域）に同一の図柄の組合せ揃いが存在しないことが好ましい。
【０１５７】
なお以上では、不利入賞役の場合には上記払出演出を実行しない形態を説明したが、本発明はこれに限らず、払出演出の一部の演出態様だけを現出させる構成としても良い。たとえば、特定の演出態様が発生すると、遊技者は、それに意識が強く向けられるので、遊技者の中には、これが煩わしく感じる者も多い。このような事情に鑑み、不利入賞役の場合には、払出演出の一部の演出態様を制限する、といった構成とすることができる。また遊技機の中には、遊技性関係上、不利入賞役の入賞を遊技者に報知させたいが、不利入賞役に係る払出演出の煩わしさを低減させたいといった要望もある。たとえば、遊技性に応じて、１枚ＡＴ役のように配当が最小数の遊技メダルの払い出しである場合であってもこれが遊技者に有利に作用しうる役（たとえば、ＡＴ抽選契機役）として定められている場合、上記払出演出を一切実行しない形態とすれば、当該役の入賞を遊技者が見逃してしまい、遊技者にとり不利益となりうる場合も生じるからである。
【０１５８】
そこで、たとえば、１枚ＡＴ役入賞時に、払出演出に係る音演出として、入賞音およびメダル払出音が現出される構成である場合、払出演出のうち、特定の音演出（たとえば、入賞音）の実行を制限した「特定音演出不実行型払出演出」か、または音演出（入賞音およびメダル払出音）のすべてを制限した「音演出不実行型払出演出（この場合は、音演出は現出されないが、光演出および／または画像表示演出が現出される）」を現出制御可能に構成しても良い。１枚ＡＴ役のように、配当が最小数の遊技メダルの払い出しである場合、音演出が一々発生すると、耳障りに感じる遊技者も多く、これを制限しつつ、不利入賞役の入賞を遊技者に報知させることができる。
【０１５９】
また上述のように、特定の光演出が発生すると、それに意識が向けられるので、遊技者の中には、これが煩わしく感じる者も多い。そこで光演出態様の一部の現出を制限した「特定光演出不実行型払出演出」を現出可能に構成しても良い。本実施形態では、装飾ランプ１３による光演出（入賞役報知光演出）と、図柄照射用バックライトＬＥＤによる光演出（図柄照射演出）とを現出可能な構成であるが、この場合は、図柄照射演出側の実行を制限することが好ましい。遊技者は、通常、回胴視認部３を介して、回胴の図柄を見ながら遊技に興じており、装飾ランプ１３による入賞役報知光演出よりも目に付きやすい上記図柄照射演出の方を制限する方が、遊技者に不快感を与える度合いが少ないと考えられるからである。また、次のような理由から、入賞役報知光演出よりも図柄照射演出の実行を制限する方が好ましい場合がある。
【０１６０】
回胴式遊技機の多くは、図柄照射用バックライトにＬＥＤを利用するのではなく、ＬＥＤよりも寿命が短命ではあるが、それよりも安価な豆電球などの発光手段を利用している実情がある。上述のように電球を利用している機種の場合、各図柄に配置された電球が寿命などにより破損し、破損電球に対応する図柄だけが消灯状態となってしまうケースが多い。このような不具合が生じたままでは、遊技者は不快感を覚え、パチンコホール店に不信感を抱いてしまう。このような問題点に鑑み、不利入賞役に係る光演出のうち、図柄照射演出の実行を制限する。その結果、図柄照射用バックライト（電球）の寿命を長持ちさせ、遊技機の点検・整備を簡略化することができるようになる。
【０１６１】
また上述のように、上記音演出や光演出が発生すると、遊技者はこれに意識が向けられることが多いことから、払出演出に係る音演出および光演出を現出させない場合には、これらを制限し、液晶表示装置６による画像表示演出（入賞時画像演出）だけを現出可能にした「音光演出不実行型払出演出」としても良い。この場合、払出演出に対し、遊技者にあまり意識を向けさせず、煩わしさを与えないといった観点から、液晶表示装置６の液晶画面６ａ上において、遊技者がさほど気にならない領域に、不利入賞役が入賞した旨を報知しうる特定の画像を表示することが好ましい。たとえば、液晶画面６ａ上の隅部近傍の領域に、１枚ＡＴ役が入賞した旨を報知しうる特定の画像（たとえば、特定のキャラクタ画像や特定の文字が記載された画像など）を表示することが好ましい。
【０１６２】
以上に説明した実施形態では、本発明の一実施形態として、遊技媒体の払い出しを伴う押順規定役に係る払出演出について説明した。しかし本発明は、押順規定役に限らず、特定の図柄の組合せに着目して、次のように構成することもできる。
【０１６３】
本発明は、第１の所定数の遊技用価値（たとえば、遊技メダル）の付与を伴う第１の図柄の組合せが遊技結果として導出表示された場合には払出演出を現出させる一方、当該第１の所定数よりも少ない第２の所定数の遊技用価値の付与を伴う第２の図柄の組合せが遊技結果として導出表示された場合には払出演出を現出させない、といった構成とすることができる。なお、上記第１の図柄の組合せが遊技結果として導出表示された場合には上記規定賭数（本実施形態では、遊技メダル３枚）以上の遊技用価値（遊技媒体）が付与されるように、上記第２の図柄の組合せが遊技結果として導出表示された場合には当該規定賭数未満の遊技用価値が付与される構成であることが好ましい。特に、上記第２の図柄の組合せが遊技結果として導出表示された場合において、単一の遊技用価値を付与するように定めた場合（最小数である遊技メダル１枚（単一の遊技媒体）の払い出しとする場合）、上記払出演出を制限することがより効果的となる。
【０１６４】
＜主制御部側の処理：図８〜図１２＞
図８〜図１２を参照して、主要な遊技動作を統括的に司る、主制御部４００側の処理内容について説明する。
【０１６５】
（１．主制御側メイン処理：図８）
図８は、遊技動作制御プログラムに従い主制御部（主制御基板）４００側のメイン処理（主制御側メイン処理）を示すフローチャートである。本処理はメインＣＰＵ４０１ｃにより実行されるものであるが、説明の便宜上、処理を実行する主体を主制御部４００と称して説明する。
【０１６６】
遊技機に電源が投入されると、電源基板（図示せず）から電源が投入された旨の電源投入信号が送られる。この電源投入信号を受けて主制御部４００は、図８に示す主制御側メイン処理を開始する。
【０１６７】
この主制御側メイン処理では、電源投入時の初めての処理としてステップＳ１１の初期設定処理が行われ、これ以外の場合には正常動作時の処理としてステップＳ１２〜Ｓ２７の処理が行われる。
【０１６８】
図７おいて、まず主制御部４００は、電源投入が行われてから初めての処理として、遊技動作開始前における必要な初期設定を実行する（ステップＳ１１）。
【０１６９】
上記の初期設定処理が正常に終了した後、次に、ＲＡＭ初期化処理（ステップＳ１２）を行う。このＲＡＭ初期化処理では、前回のゲーム終了時において使用した所定のデータをクリアし、今回のゲームに必要なワークエリアを確保する。ここでは、今回のゲームを開始するためにクリアすべきデータとして、たとえば、前回のゲームで使用した賭数（投入枚数）、内部抽選に利用された各種データ（内部抽選用乱数値、当選フラグなど）、回胴の停止制御に利用した各種データなどがクリアされる。
【０１７０】
次に、遊技状態フラグ生成処理を行う（ステップＳ１３）。この遊技状態フラグ生成処理では、今回のゲームの遊技状態の種別（通常遊技中、ボーナス遊技中など）を確認し、対応する遊技状態フラグを設定する。上記遊技状態フラグにより、今回のゲームの遊技状態が指定される。
【０１７１】
次に、遊技メダル投入処理を行う（ステップＳ１４）。この遊技メダル投入処理では、主に、遊技機本体に投入された遊技メダルの検出、クレジットの管理、再遊技の要求があった場合の遊技メダルの自動投入処理などを行い、遊技開始可能となる規定枚数の遊技メダルが投入されたか否かを監視する。上記規定枚数の遊技メダルの投入が確認された場合には遊技開始条件を成立させ、この条件成立状態を保持したまま、回胴回転始動スイッチ１１ａからの操作検出信号が送られてくるのを待つ。
【０１７２】
回胴回転始動スイッチ１１ａからの操作検出信号を受けると、主制御部４００は、カウンタ回路４０３のカウンタ値に基づき、内部抽選用乱数値（数値範囲：０〜６５５３５）を取得する（乱数取得処理：ステップＳ１５）。
【０１７３】
次に、取得した内部抽選用乱数値に基づく当選種別に関する内部抽選処理を行う（ステップＳ１６）。この内部抽選処理では、取得した内部抽選用乱数値と現在の遊技状態に対応する後述の抽選テーブル（図５）とに基づく内部抽選を行い、当該内部抽選結果に基づく当選情報（当選フラグ）を設定する。またここでは、演出制御コマンドとして「遊技開始情報コマンド」をセットする。この遊技開始情報コマンドには、内部抽選結果に関する情報（内部当選フラグ情報）と、現在の遊技状態に関する情報（主制御側遊技状態に関する情報）とが含まれる。上記「遊技開始情報コマンド」が主制御部４００側から演出制御部４１０側へと送信されると、演出制御部４１０側では、この遊技開始情報コマンドに含まれる情報に基づき、今回のゲーム中に係る演出（たとえば、当選役報知演出、期待演出状態報知演出、入賞演出（払出演出）、アシスト報知など）を現出させるための演出制御処理や、ＡＴ遊技に関するＡＴ遊技制御処理（ＡＴ抽選処理や、ＡＴ遊技移行設定処理）を行うことができるようになっている。
【０１７４】
なお、遊技進行に伴う処理状態に応じてセットされる各種の演出制御コマンドについては、後述のコマンド出力処理（ステップＳ４５）で演出制御部４１０（演出制御基板４２０）側に送信されるようになっている。
【０１７５】
次に、回胴回転始動時の設定処理（回胴回転開始設定処理）を行う（ステップＳ１７）。この回胴回転開始設定処理では、各回胴５ａ、５ｂ、５ｃの回転を開始する際に必要なデータ、たとえば、回胴の回転動作用の制御データ（回胴駆動モータ２１１ａ、２１１ｂ、２１１ｃを制御するためのデータ）を設定したり、回胴の回転状態を示す回胴状態フラグを‘全回胴回転中（０１Ｈ）’にセットしたりする。また、ここでは、演出制御コマンドとして、回胴が始動される旨を示す「回転開始コマンド」をセットする。上記「回転開始コマンド」が主制御部４００側から演出制御部４１０側へと送信されると、演出制御部４１０側では、回胴始動時おける演出（たとえば、回胴始動時の効果音の発生）を現出させるための演出制御処理を行うことができるようになっている。かくして、各回胴５ａ、５ｂ、５ｃが回転状態に入る。
【０１７６】
その後、全回胴が概ね一定速度になると、回胴回転停止ボタン１２ａ、１２ｂ、１２ｃの停止操作を許容状態とし、この許容状態下において回胴回転停止ボタン１２ａ、１２ｂ、１２ｃが操作された場合には、停止操作の対象となった回胴を停止制御するための回胴停止処理を行う（ステップＳ１８）。この回胴停止処理は、停止制御手段として機能する。この停止制御手段には、各回胴の回転状態および停止状態に基づき、押し順を監視（把握）する上記停止操作順番監視手段が含まれる。
【０１７７】
上記回胴停止処理では、内部抽選処理（ステップＳ１６）で得られた当選情報（当選フラグ）と、必要であれば回胴の停止操作手順とに基づき、目的とする停止テーブル（図示せず）を選択し、その選択した停止テーブルから滑りコマ数を割り出し、これに基づく回胴の停止制御（引き込み制御）を行う。
【０１７８】
またここでは、停止制御に係る情報として、回胴の停止操作順番（押し順）を示すデータ（停止操作順（押し順）データ）、既に停止している回胴数（停止回胴数）を示すデータ（たとえば、第１停止操作時の場合、既に停止している回胴数はないので、‘停止回胴数＝０’となる）、停止操作対象となった回胴を示すデータ（停止対象回胴データ）、停止間隔タイマ（引き込み制御下で回胴が完全に停止するのに要する余裕時間を含めた時間（たとえば、２１３ｍｓ））などがセットされる。
【０１７９】
そして回胴が停止した際は、その停止位置に基づき、停止操作対象となった回胴において、いずれの入賞ライン上に、如何なる図柄番号の図柄が停止しているかを特定可能な「入賞ラインデータ（停止図柄情報）」を設定する。この入賞ラインデータは、各回胴の停止毎の停止図柄情報を管理するデータであり、１ゲーム毎にクリアされる。なお、回胴の停止位置は、実際に回胴が停止した際にも把握することができるが、停止操作図柄番号と滑りコマ数とに基づいて、回胴が完全に停止する前段階で、当該回胴の停止位置を把握することもできる。
【０１８０】
またここでは、回胴の停止制御時に係る演出制御コマンドとして、回胴の停止操作時には「停止入力受付情報コマンド」が、また回胴の停止時には「停止結果情報コマンド」がセットされ、これらコマンドが処理状態に応じて演出制御部４１０側に送信されるようになっている。
【０１８１】
上記「停止入力受付情報コマンド」には、少なくとも回胴の停止操作順番（押し順）を特定可能な「停止操作順情報」が含まれ、その他には、上記停止回胴数を示す「停止回胴数情報」や停止操作対象となった回胴を示す「停止対象回胴情報」などを含むことができる。この停止入力受付情報コマンドにより、演出制御部４１０側が押し順を把握することができるようになっている。また「停止結果情報コマンド」には、上記停止図柄情報が含まれ、本実施形態では、当該停止図柄情報として、停止対象回胴情報とその停止対象となった回胴の特定位置に停止した図柄番号情報を含むことができる。なお、回胴の停止位置は、上記したように、停止操作対象となった回胴が完全に停止する前段階であっても当該回胴の停止位置を把握することができるので、上記停止結果情報コマンドは、回胴が停止する前段階において演出制御部４１０側に送信する構成としても良い。
【０１８２】
上記の「停止入力受付情報コマンド」および／または「停止結果情報コマンド」により、有効入賞ラインや疑似入賞ライン上に成立する図柄の組合せを演出制御部４１０側が把握することができるようになっている。これにより、演出制御部４１０は、回胴の停止操作時に係る演出を現出させることができる。上記回胴の停止操作時に係る演出としては、たとえば、ボーナス図柄のテンパイ音など、全回胴停止前において、特定の図柄または特定の図柄の組合せが成立ライン上に停止したときの演出が挙げられる。
【０１８３】
全回胴の停止が確認されると、続いて、入賞判定処理を行う（ステップＳ１９）。この入賞判定処理では、上記停止図柄情報に基づいて、当選役に対応する図柄の組合せが有効入賞ライン上に停止したかどうか、つまり入賞が発生したか否かを確認する。当選役に対応する図柄の組合せが有効入賞ライン上に停止したことが確認されれば、その停止した図柄の組合せに応じて、払い出すべき遊技メダル枚数の設定処理を行う。なお、上記入賞判定処理については図１０にて後述する。
【０１８４】
次に、メダル払出枚数監視処理を行う（ステップＳ２０）。このメダル払出枚数監視処理では、ステップＳ１９の入賞判定処理で設定された払い出し情報に基づき、ホッパーユニット５００を駆動制御して目的枚数の遊技メダルの払い出し処理やクレジットの加算処理を行う。なお、上記メダル払出枚数監視処理については図１１にて後述する。
【０１８５】
次に、再遊技設定処理を行う（ステップＳ２１）。この再遊技設定処理では、リプレイ役が有効入賞ライン上に停止した場合、再遊技の付与に必要な設定処理を行う。ここでの設定処理により、次回ゲーム開始時における遊技メダル投入処理（ステップＳ１４）おいて、遊技メダルの自動投入処理が行われ、遊技メダルの投入なしに、次回ゲームを開始することができるようになる。
【０１８６】
次に、ボーナス遊技中か否かを判定する（ステップＳ２２）。ボーナス遊技中である場合（ステップＳ２２：ＹＥＳ）、ボーナス遊技作動中処理を行う（ステップＳ２４）。このボーナス遊技作動中処理では、ボーナス遊技の継続およびその終了に要求される処理を行う。そして、ボーナス遊技作動中処理を終えると、ステップＳ１２のＲＡＭ初期化処理に移行する。
【０１８７】
一方、ボーナス遊技中でない場合（ステップＳ２２：ＮＯ）、ボーナス役が有効入賞ライン上に停止したか否かを判定する（ステップＳ２３）。ボーナス役が停止していない場合（ステップＳ２２：ＮＯ）、ステップＳ１２のＲＡＭ初期化処理に移行し、ステップＳ１３〜Ｓ２８の処理を順次行う。
【０１８８】
一方、ボーナス役が停止した場合（ステップＳ２２：ＹＥＳ）、ボーナス遊技作動開始処理を行う（ステップＳ２５）。このボーナス遊技作動開始処理では、たとえば、ボーナス遊技中の獲得枚数を管理するためのボーナス獲得枚数カウンタをクリアしたり、ボーナスフラグをクリアしたりし、次ゲームからボーナス遊技に移行させるために必要なボーナス開始前の設定処理を行う。ボーナス遊技作動開始処理を終えると、ステップＳ１２のＲＡＭ初期化処理に移行し、ステップＳ１３〜Ｓ２８の処理を順次行う。
【０１８９】
（２．主制御側タイマ割込処理：図９）
次に図９を参照して、主制御側のタイマ割込処理について説明する。図９は、主制御側タイマ割込処理を示すフローチャートである。この主制御側タイマ割込処理は、ＣＴＣからの一定時間（１．５ｍｓ程度）ごとの割込みで起動され、主制御側メイン処理実行中に割り込んで実行される。
【０１９０】
図１２において、主制御部４００は、まずタイマ割り込みが発生した場合、レジスタを所定のスタック領域に退避させる退避処理を行う（ステップＳ４１）。
【０１９１】
次に、ポート入力処理を行う（ステップＳ４２）。このポート入力処理では、遊技機に設けられたスイッチ類やセンサ類からの検出情報を管理する。
【０１９２】
次に、回胴回転制御処理を行う（ステップＳ４３）。回胴回転制御処理では、回胴状態フラグを確認した際の回胴始動時や、停止操作時の停止指令フラグを確認した際の回胴停止時において、回胴駆動モータに出力するパルス信号を管理制御して回転動作を制御したり、現在の回胴の回転位置やその速度を監視したりする。
【０１９３】
次に、定期更新処理を行う（ステップＳ４４）。この定期更新処理では、遊技動作に用いられるタイマを更新したり、ウォッチドッグタイマを定期的にクリアしたりする。定期更新処理が実行されない場合、例えば、遊技動作制御に異常が発生してプログラムが暴走状態となった場合、ウォッチドッグタイマがタイムアップすると、メインＣＰＵ４０１ｃが自動的にリセットされて上記暴走状態から復帰する。
【０１９４】
次に、コマンド出力処理を行う（ステップＳ４５）。このコマンド出力処理では、遊技の進行に伴う処理状態に応じてセットされる演出制御コマンドを演出制御基板４２０側に送信する。主制御部４００は、割り込み毎に演出制御コマンドを１バイト分出力している。１つの演出制御コマンドは２バイト長であるので、連続する２回のタイマ割り込みで１つの演出制御コマンドが送信される。
【０１９５】
次に、メダル情報出力処理を行う（ステップＳ４６）。このメダル情報出力処理では、遊技メダル投入や遊技メダル払出しの際のメダル払出信号を出力する。上記各信号は、外部集中端子基板３１０を介してホールコンピュータＨＣに送信される。
【０１９６】
次に、表示出力処理を行う（ステップＳ４７）。この表示出力処理は、遊技表示制御手段として機能し、ここでは、処理状態に応じて、ＭＡＸベットＬＥＤ８４、停止ボタンＬＥＤ、遊技パネル７７に形成された各種の表示部（遊技開始表示ＬＥＤ８１、メダル投入表示ＬＥＤ８２、再遊技作動ＬＥＤ８３、投入枚数表示ＬＥＤ８５、クレジット枚数表示器８６、払出枚数表示器８７）などの発光態様を制御する発光制御信号を出力する。なお、上記各表示部の一部または全部が表示する情報を液晶表示装置６による画像表示により現出可能に構成することができる。この場合は、遊技の進行状況に応じて、各表示部により提供される情報を含む演出制御コマンドを演出制御部４１０側に送信可能に構成することで実現できる。このコマンドが主制御部４００側から演出制御部４１０側へと送信されると、演出制御部４１０側では、当該コマンドに含まれる情報に基づき、液晶表示装置６を表示制御して、当該情報を画像により表示する。
【０１９７】
次に、異常監視処理を行う（ステップＳ４８）。この異常監視処理では、上記入力管理処理の情報に基づいて遊技動作状態を監視し、遊技機の異常（遊技動作エラー）を監視する。
【０１９８】
以上のステップＳ４１〜ステップＳ４８の処理を終えた後、退避していたレジスタの内容を復帰させて（ステップＳ４９（レジスタ復帰処理））、割込み許可状態に設定する。これにより、タイマ割込処理を終了して、割込み前の上記主制御側メイン処理に戻り、次のタイマ割込みが発生するまで主制御側メイン処理を行う。
【０１９９】
（１−２．入賞判定処理：図１０）
次に図１０を参照して、図８のステップＳ１９の入賞判定処理の詳細について説明する。図１０は、入賞判定処理を示すフローチャートである。
【０２００】
図１０において、主制御部４００は、まず、有効入賞ライン数を設定する（ステップＳ１０１）。本実施形態の有効入賞ラインは、中段横ラインの単ラインであるので、有効入賞ライン数には「１」が設定される。
【０２０１】
次に、停止図柄情報を含む上記入賞ラインデータに基づき、当り図柄フラグを作成し設定する（ステップＳ１０２）。この当り図柄フラグは、最終的に有効入賞ライン上に停止した図柄の組合せ（全回胴停止後の図柄の組合せ（遊技結果情報））を管理するデータであり、有効入賞ラインが複数本ある場合は、各々の有効入賞ラインに対応する当り図柄フラグが作成される。なお、このデータは１ゲーム毎にクリアされる。
【０２０２】
次に、上記当り図柄フラグに基づき、遊技メダルの払い出し枚数を算出する（ステップＳ１０３）。ここでは、当り図柄フラグが遊技メダルの払い出しを要する入賞役であるか否かを判定し、遊技メダルの払い出しを要する入賞役であった場合は、その払い出し枚数を算出する。
【０２０３】
次に、全入賞ライン（すべての有効入賞ライン）分の当り図柄フラグに係る払い出し枚数算出処理（ステップＳ１０３）が終了したか否かを判定する（ステップＳ１０４）。本実施形態では、有効入賞ラインが中段横ラインの単ラインであるが、有効入賞ラインが複数本ある場合は、その全有効入賞ライン分の上記ステップＳ１０３の払い出し枚数算出処理を繰り返す（ステップＳ１０４：ＮＯ）。
【０２０４】
次に、全入賞ライン分終了した場合（ステップＳ１０４：ＹＥＳ）、ステップＳ１０３で算出された払い出し枚数を設定する（ステップＳ１０５）。ここでは、ＲＡＭ４０１ｂの所定領域（払出枚数データ）に上記払い出し枚数を設定する。
【０２０５】
次に、誤入賞判定処理を行う（ステップＳ１０６）。この誤入賞判定処理では、全回胴停止前に、今回ゲームで当選した当選役に対応する図柄の組合せに関する情報（イリーガル判定用データ）と、全回胴停止時において実際に有効入賞ライン上に停止した図柄の組合せである上記当り図柄フラグとを比較参照し、正規入賞であるか誤入賞であるかを判定する。
【０２０６】
具体的には、上記イリーガル判定用データと当り図柄フラグとが一致しない場合には、誤入賞であるとして、当り図柄フラグと払出枚数データとをクリアし、所定のエラー処理（たとえば、演出手段を利用してエラーである旨を報知する）を行い、上記イリーガル判定用データと当り図柄フラグとが一致した場合には、正規入賞であると判定して、ステップＳ１０７の処理に進む。
【０２０７】
ステップＳ１０６の誤入賞判定処理を終えると、全回胴の停止時に係る演出制御コマンドとして、「入賞情報コマンド」を設定する（ステップＳ１０７）。この入賞情報コマンドには、少なくとも有効入賞ライン上に停止した図柄の組合せを特定可能な「遊技結果情報」が含まれ、さらに、疑似入賞ライン上の停止図柄情報や現在の遊技状態情報などを含むことができる。斯様な入賞情報コマンドにより、演出制御部４１０側が今回の遊技結果を把握することができるようになっている。なお本実施形態の上記入賞情報コマンドには、上記遊技結果情報として、有効入賞ラインおよび疑似入賞ライン上に、如何なる図柄の組合せが停止したか（停止図柄種別）を特定可能な情報が含まれる。
【０２０８】
上記「入賞情報コマンド」が主制御部４００側から送信されると、演出制御部４１０側では、今回の遊技結果を把握し、全回胴停止時の演出（たとえば、（遊技結果の導出表示を契機とする入賞演出）や、遊技結果に基づく演出状態の移行制御（たとえば、ＡＴ遊技の移行制御（ＡＴ抽選処理、ＡＴ遊技移行設定処理））など、遊技結果に応じた演出制御処理を行う。
【０２０９】
次に、ボーナス遊技中か否かを判定する（ステップＳ１０８）。ボーナス遊技中でない場合（ステップＳ１０８：ＮＯ）、何もせずに入賞判定処理を抜ける。一方、ボーナス遊技中である場合（ステップＳ１０８：ＹＥＳ）、ボーナス遊技中の獲得枚数を管理する獲得枚数データに、払出枚数分の遊技メダル枚数を加算し（ステップＳ１０９）、入賞判定処理を抜ける。
【０２１０】
以上により、上記入賞判定処理を抜けると、図８のステップＳ２０のメダル払出枚数監視処理に進む。
【０２１１】
（１−３．メダル払出枚数監視処理：図１１〜図１２）
次に図１１を参照して、図８のステップＳ２０のメダル払出枚数監視処理の詳細について説明する。図１１は、メダル払出枚数監視処理を示すフローチャートである。
【０２１２】
図１１において、主制御部４００は、まず、上記払出枚数データを取得し、払い出し枚数をゼロであるか否かを判定する（ステップＳ２０１）。払出枚数データがゼロである場合（ステップＳ２０１：＝０）、つまり、今回のゲームで遊技メダルの払い出しを伴う役が入賞していないか、または入賞による遊技メダルの払い出しが終了して、遊技メダルの払い出しを行う必要がない場合は、後述のステップＳ２０８の処理に進む。
【０２１３】
一方、払出枚数データがゼロでない場合（ステップＳ２０１：≠０）、つまり、今回のゲームで遊技メダルの払い出しを伴う役が入賞し、遊技メダルの払い出しを行う必要がある場合は、次に、クレジット枚数が最大クレジット枚数（本実施形態では、５０枚）であるか否かを判定する（ステップＳ２０２）。
【０２１４】
（最大クレジット枚数でない場合：ステップＳ２０３〜Ｓ２０６の処理ルート）
先ず、最大クレジット枚数でない場合（ステップＳ２０２：≠ＭＡＸ）の場合の処理ルートについて説明する。この処理ルートは、最大クレジット枚数でない場合に、最大クレジット数を上限として、入賞による遊技メダルの払い出し枚数分を貯留手段にクレジットする「入賞時クレジット加算処理（ステップＳ２０３〜Ｓ２０６）」を行う処理ルートである。
【０２１５】
最大クレジット枚数でない場合（ステップＳ２０２：≠ＭＡＸ）、クレジットに１加算する（ステップＳ２０３：クレジット＋１）。
【０２１６】
次に、クレジット表示データを更新する（ステップＳ２０３）。ここで更新されたクレジット表示データは、表示出力処理（図９のステップＳ４７）で利用され、これにより、クレジット枚数表示器８６による現在のクレジットの表示枚数に、「＋１」された表示枚数に更新されることになる。
【０２１７】
次に、所定の待機時間の経過を待つ待機処理を行う（ステップＳ２０４）。ここでは、遊技メダルの払い出しによる待機時間として、ＲＡＭ４０１ｂの所定のタイマ管理領域に、たとえば、６０ｍｓを設定する。この待機時間は、遊技媒体の払い出しに対応して現出される上記入賞演出（払出演出）の一態様として、たとえば、遊技メダル１枚の払い出しごとに現出される払出音を現出させるための演出時間幅として利用される。
【０２１８】
次に、払出メダルカウント処理を行う（ステップＳ２０５）。説明の便宜上、以下に、払出メダルカウント処理について説明しておく。
【０２１９】
（１−３−１．払出メダルカウント処理：図１２）
図１２を参照して、図１１のステップＳ２０５の払出メダルカウント処理の詳細について説明する。図１２は、払出メダルカウント処理を示すフローチャートである。
【０２２０】
図１２において、主制御部４００は、まず、ＰＡＹＯＵＴデータに１加算する（ステップＳ２３１：ＰＡＹＯＵＴデータ＋１）。
【０２２１】
次に、ＰＡＹＯＵＴ表示データを更新する（ステップＳ２３２）。ここで更新されたＰＡＹＯＵＴ表示データは、表示出力処理（図９のステップＳ４７）で利用され、これにより、払出枚数表示器８７による現在の払い出し表示枚数に、「＋１」された表示枚数に更新されることになる。なお、今回のゲームにおいて、ステップＳ２３２の処理に初めて入るときには、払出枚数表示器８７が「ゼロ」表示となっている。したがって、ステップＳ２３２の処理が初めて行われた場合には、払出枚数表示器８７による現在の払い出し枚数表示が、合計１枚の払い出しがあった旨を示す表示に更新され（ここでは、「０」→「１」の表示に更新）、以降、払い出し枚数がゼロになるまで、払出メダルカウント処理が繰り返し実行され（後述の図１１のＳ２０６：ＮＯの処理ルート）、遊技メダルが払い出される度に、払出枚数表示器８７の表示が‘＋１’ずつカウントアップ表示されることになる。
【０２２２】
次に、払出枚数データから１減算し（ステップＳ２３３：払出枚数データ−１）、次いで、払出コマンドを設定する（ステップＳ２３４）。この「払出コマンド」は、遊技メダルが払い出された旨を指定するための演出制御コマンドであり、払出枚数データが１減算されるごとに送信されるようになっている。つまり、遊技メダルが１枚払い出されるごとに、払出コマンドが演出制御部４１０側に送信されるようになっている。
【０２２３】
上記払出コマンドが主制御部４００側から送信されると、演出制御部４１０側では、払出演出の一環として、「メダル払出音」を現出させる。したがって本実施形態では、単位払出枚数として「遊技メダル１枚の払い出し」がある毎に、メダル払出音が１回現出され、これにより遊技メダルが払い出されていることを確認することができる。
【０２２４】
なおここでは、クレジットが「最大クレジット数未満」であるケースを説明しているので、上記メダル払出音として、クレジットが１加算（＋１）されるごとに「クレジット加算音」が現出（スピーカ１６から出力）されることになる。このクレジット加算音は、遊技メダル（実物）が払い出されるときのメダル払出音と、その効果音（たとえば、音色や旋律など）のが同一のものであっても良いし、異なるものであっても良い。
【０２２５】
また演出制御部４１０側では、当該入賞情報コマンドの受信を契機として、今回の遊技結果（入賞役種別（入賞ライン上の停止図柄種別））が把握され、これに含まれる入賞役情報に応じて、入賞役に対応する音演出（入賞音（入賞時払出音））、光演出（入賞役報知光演出、図柄照射演出）、および画像表示演出（入賞時画像表示演出）の少なくともいずれか一つの演出態様を現出されうるようになっている。なお、いずれの演出態様を現出させるかは、入賞役に応じて決定される。
【０２２６】
特に、払い出しを伴う入賞役である場合には、遊技メダルの払い出しに対応して現出される「払出演出」は、上記入賞情報コマンドに基づく上述の演出態様（音演出（入賞時払出音）、光演出（入賞役報知光演出および／または図柄照射演出）、および画像表示演出（入賞時画像表示演出）の少なくともいずれか一つの演出態様）と、上記払出コマンドに基づくメダル払出音とを含む一連の演出態様となっている。
【０２２７】
つまり本発明に係る払出演出は、遊技メダルの払い出しに対応して現出される演出態様を広く包含し、具体的には、上記入賞情報コマンドおよび払出コマンドの少なくともいずれか一方に基づき、遊技メダルの払い出しに対応して現出される演出態様は、本発明の払出演出の概念に含まれる。
【０２２８】
これについて詳述すれば、たとえば、９枚ＡＴ役が成立（入賞）し、その情報を含む入賞情報コマンドを演出制御部４１０側が受信すると、演出制御部４１０側では、音演出として、９枚ＡＴ役が入賞した旨を報知する入賞時払出音（上記メダル払出音とは異なる音演出）を発生させる。また光演出として、上段横ラインの‘上段ベル揃い’を図柄照射用バックライトＬＥＤにより点滅あるいは点灯表示させ９枚ＡＴ役の成立（入賞）を報知し、装飾ランプ部１３を９枚ＡＴ役入賞に対応した発光色（たとえば、黄色）を呈するように発光させる。さらに画像表示演出として、液晶表示装置６には９枚ＡＴ役の入賞を示す画像（たとえば、特定のキャラクタ画像や特定のアイテム画像）を表示させる。斯様な入賞情報コマンドに基づく演出に付随する形で、上記払出コマンドを受信するごとに、メダル払出音を現出させる。なお、上記入賞情報コマンドに基づく払出演出は、原則として、後述の払出終了コマンドを受信するまで現出されるようになっている。たとえば、図柄照射演出については、払出終了コマンドを受信しても終了させずに、次回ゲームにおける賭数が設定された場合に、これを終了させることができる。これにより、遊技メダルの払い出しに対応して、音演出、光演出、画像表示演出などによる「払出演出」が実現されるようになっている。
【０２２９】
ただし、本実施形態では、１枚ＡＴ役が入賞した場合、演出制御部４１０が上記入賞情報コマンドおよび上記払出コマンドを受信してもこれを無効なものとして扱い、上述の払出演出が実行されないようになっている。しかしこれに限らず、既に説明したように、１枚ＡＴ役が入賞した場合、「払出演出の一部を制限した演出態様」を現出させる構成としても良い（後述の図１７（Ａ−２）参照）。
【０２３０】
また本実施形態では、演出制御部４１０が上記払出コマンドの受信を契機に、音演出によるメダル払出音を現出させるとして説明したが、本発明はこれに限らず、払出コマンドの受信を契機に、特定の光演出（メダル払出光演出）を現出させても良い。たとえば、入賞役報知光演出により装飾ランプ１３を点灯状態に保持するが、演出制御部４１０が上記払出コマンドを受信するごとに、所定時間（払い出しに要する時間として、たとえば、１００ｍｓ程度）当該装飾ランプ１３を消灯状態とすることができる。これにより、払出演出の一環として、遊技メダルの払い出しに対応して、装飾ランプ１３が点滅状態を呈するといった光演出効果を奏することができる。
【０２３１】
再び図１１の説明に戻る。上記払出メダルカウント処理（ステップＳ２０５）を終えると、次に、払出枚数データがゼロであるか否かを判定する（ステップＳ２０６）。払出枚数データがゼロである場合（ステップＳ２０６：＝０）、つまり、入賞による遊技メダルの払い出しがすべて終了した場合、後述のステップＳ２０７の処理に進む。しかし払出枚数データがゼロでない場合（ステップＳ２０６：≠０）、残余払い出し枚数があるとして、ステップＳ２０２の処理に戻り、クレジット枚数に応じて、ステップＳ２０３〜Ｓ２０６の処理ルートか、後述のステップＳ２１０〜Ｓ２１３の処理ルートを行う。
【０２３２】
（最大クレジット枚数である場合：ステップＳ２１０〜Ｓ２１３の処理ルート）
次に、最大クレジット枚数である場合（ステップＳ２０２：≠ＭＡＸ）の場合の処理ルートについて説明する。この処理ルートは、クレジット枚数が最大クレジット枚数に達している場合に、ホッパーユニット５００による遊技メダルの払い出しを行うための「入賞時遊技媒体払出処理（ステップＳ２１０〜Ｓ２１３）」を行う処理ルートである。
【０２３３】
最大クレジット枚数である場合（ステップＳ２０２：＝ＭＡＸ）、ステップＳ２１０に進み、払出センサチェック処理を行う（ステップＳ２１０）。この払出センサチェック処理では、ホッパーモータ５１０を駆動制御するメダル払出制御信号をＯＮにして、ホッパーモータ５１０を駆動させ、遊技メダルが正常に払い出された否かを監視する。ここではまず、払出中フラグをＯＮ状態（払出中フラグ←０１Ｈ）に設定した後、メダル払出制御信号をＯＮにする。上記払出中フラグは、遊技メダルの払い出し中か否かを指定するためのフラグである。本実施形態では、払出中フラグの設定状態と、メダル払出センサ５２０（ホッパーユニット５００から払い出される遊技メダルを検出するためのセンサ）の検出情報とに基づいて、遊技メダルが正常に払い出された否かを監視している。
【０２３４】
具体的には、払出中フラグがＯＮ状態の場合、所定時間（たとえば、２５００ｍｓ）経過しても、メダル払出センサ５２０が遊技メダルを検出しなかった場合は、ホッパーユニット５００に貯留されている遊技メダルが空状態であるとみなし、遊技機内部の遊技メダルが空状態になったことを報知するホッパーエラー処理を行うようになっている。また、払出中フラグがＯＦＦ状態の場合に、メダル払出センサ５２０が遊技メダルを検出した場合は、払い出し中でないにもかかわらず、遊技メダルの払い出しが行われた不正行為による払い出しであるとみなし、不正払出エラー処理を行うようになっている。なお、上記エラー処理は、所定の解除方法により解除される。
【０２３５】
上記払出センサチェック処理を終えると、次いで、上記払出メダルカウント処理（図１２参照）を行う（ステップＳ２１２）。なお、ここでの払出メダルカウント処理における上記払出コマンドを演出制御部４１０が受信した際には、ホッパーユニット５００から遊技メダルが払い出されるごとに、上記メダル払出音が現出されることになる。
【０２３６】
上記払出メダルカウント処理を終えると、次に、払出枚数データがゼロであるか否かを判定する（ステップＳ２１２）。払出枚数データがゼロである場合（ステップＳ２１２：＝０）、上記メダル払出制御信号をＯＦＦにし（ステップＳ２１３）、ホッパーモータ５１０を停止状態にし、ステップＳ２０７の処理に進む。しかし払出枚数データがゼロでない場合（ステップＳ２１２：≠０）、ステップＳ２１０の処理に戻り、払出枚数データがゼロになるまで、ステップＳ２１０〜Ｓ２１２の処理を繰り返す。
【０２３７】
ステップＳ２０７の処理では、上記払出中フラグをＯＦＦ状態に設定し（ステップＳ２０７：払出中フラグ←００Ｈ）、続いて、払出終了コマンドを設定する（ステップＳ２０８）。この払出終了コマンドは、遊技メダルの払い出しが終了した旨を指定するための演出制御コマンドであり、この払出終了コマンドが主制御部４００側から演出制御部４１０側に送信されると、演出制御部４１０側では、遊技メダルの払い出しが終了したことを把握し、現出中の払出演出を終了させる。
【０２３８】
そして満杯検知金具６００の検出状態に基づく満杯エラー判定処理を行う（ステップＳ２０８）。この満杯エラー判定処理では、満杯検知金具６００の検出状態（ＯＮ・ＯＦＦ状態）を確認して、その検出状態がＯＮ状態であれば、上記補助タンクが満杯状態になったとして、満杯エラー処理を行い、ＯＦＦ状態であれば何もせずに満杯エラー判定処理を終える。
【０２３９】
以上によりメダル払出枚数監視処理を抜けると、図８のステップＳ２１の再遊技設定処理に進む。
【０２４０】
＜演出制御側の処理：図１３〜図１８＞
次に、図１３〜図１８を参照して、本実施形態の演出制御部４１０側における演出制御処理について説明する。演出制御部４１０側の処理は、所定のメイン処理（演出制御側メイン処理：図１３）と、ＣＴＣからの定時割込みで起動されるタイマ割込処理（演出制御側タイマ割込処理：図１５）とを中心に構成される。なお演出制御部４１０の制御主体は、正確には演出制御基板４２０のサブＣＰＵ４２１ｃや液晶制御基板４６０のＣＰＵなどを含んだものであるが、主制御部４１０から演出制御コマンドを受けた演出制御基板４２０（サブＣＰＵ４２１ｃ）側が、これに関連する液晶制御コマンドを液晶制御基板４６０に送信する関係上、以下では、演出制御基板４２０が行う処理手順を中心に説明し、演出制御基板４２０の機能と液晶制御基板４６０の機能とを特に必要がない限り区別することなく、処理を実行する主体を演出制御部４１０として説明する。またＣＰＵ、ＲＡＭ、ＲＯＭは、演出制御基板４２０のサブＣＰＵ４２１ｃ、サブＲＡＭ４２１ｂ、サブＲＯＭ４２１ａなどで代表させる。
【０２４１】
（演出制御側メイン処理：図１３）
図１３は、演出制御部側のメイン処理（演出制御側メイン処理）を示すフローチャートである。演出制御部４１０は、遊技機本体に対して外部から電源が投入されると、図１３に示す演出制御側のメイン処理を開始する。
【０２４２】
この演出制御側のメイン処理において、演出制御部４１０（サブＣＰＵ４２１ｃ）は、まず遊技動作開始前における必要な初期設定処理を行う（ステップＳ０７１）。ここでは、初期設定処理として、たとえば、コマンド受信割込み設定、可動体役物（図示せず）の起点復帰処理、ＣＴＣの初期設定、タイマ割込みの許可、マイクロコンピュータの各部を含めてＣＰＵ内部のレジスタ値の初期設定などを行う。
【０２４３】
ステップＳ０７１の初期設定処理を終えると、正常動作時の処理として、所定時間ごとにステップＳ０７３〜Ｓ０７８のメインループ処理を行い、それ以外ではステップＳ０７９の演出用ソフト乱数更新処理を繰り返し行う。
【０２４４】
ステップＳ０７２の処理において、演出制御部４１０は、メインループ更新周期用カウンタ値を参照して、メインループ処理の実行契機となるメインループ更新周期が到来したか否かを判定する（ステップＳ０７２）。上記メインループ更新周期用カウンタは、後述の演出制御側タイマ割込処理中のメインループ更新処理（図１５のステップＳ０９６）で更新されるカウンタである。なお本実施形態では、所定時間（たとえば、１６ｍｓ程度）ごとにメインループ処理を行うようになっている。このメインループ更新周期が到来するまでは（ステップＳ０７２：ＮＯ）、各種の演出抽選用乱数の更新を行う（ステップＳ０７９：各種演出用ソフト乱数更新処理）。演出抽選用乱数は、ＡＴ抽選、予告演出、または期待演出など、現出すべき演出を抽選により決定する場合に利用され、各種の抽選に対応した複数種類の演出抽選用乱数が含まれる。
【０２４５】
上記メインループ更新周期が到来した場合（ステップＳ０７２：ＹＥＳ）、演出制御部４１０は、受信コマンド解析処理を行う（ステップＳ０７３）。この受信コマンド解析処理では、コマンド受信バッファに演出制御コマンドが格納されているか否かを監視し、演出制御コマンドが格納されていれば、そのコマンドを読み出し、読み出した演出制御コマンドに対応した演出制御処理を行う。この演出制御コマンドには、既に説明した、遊技開始情報コマンド、回転開始コマンド、停止入力受付情報コマンド、停止結果情報コマンド、入賞情報コマンド、払出コマンド、払出終了コマンドなどがある。
【０２４６】
たとえば、遊技開始情報コマンドが受信され、それが受信バッファに格納されている場合、受信コマンド解析処理において、このコマンドに含まれる情報（当選役情報（内部当選フラグ情報）や現在の遊技状態情報）に基づいて、１または複数種類の演出パターンを決定する。ここで決定される演出パターンは、演出シナリオを構成する要素としての「パーツ演出」として働く。続いて、上記決定された演出パターン（パーツ演出）を、どのようなタイミングで、どれだけの演出時間幅をもって現出させるかについてのタイムスケジュールを決定し、これにより演出シナリオを構成して、その演出シナリオのデータをＲＡＭのシナリオ設定領域に格納する。演出制御部４１０は、ここで作成された演出データ（演出シナリオデータ）に基づき、演出シナリオに組み込まれた種々の演出パターン（パーツ演出）を、次々に、あるいは複数同時展開させる。これにより、広義の意味での「演出シナリオ」が実現される。なお、受信コマンド解析処理については図１６にて後述する。
【０２４７】
ステップＳ０７３の受信コマンド解析処理を終えると、次いで、シナリオ更新処理を行う（ステップＳ０７４）。このシナリオ更新処理では、演出パターンの実行に必要なタイマの内容を更新する。上記タイマの代表的なものは、演出の発生タイミングに関するタイムスケジュールを管理する演出シナリオタイマである。演出シナリオタイマは、後述のＬＥＤデータ更新処理（ステップＳ０７５）や演出役物制御データ更新処理（ステップＳ０７７）においても利用される。ここでは、この演出シナリオタイマを監視し、一の演出の発生時期が到来すると、スピーカ１６用の音データと、画像表示制御用の液晶コマンドとを作成し、それぞれをサブＲＡＭの指定領域に格納する。なお、光表示装置用のＬＥＤデータに関しては後述のＬＥＤデータ更新処理（ステップＳ０７５）で、可動体役物用のモータ制御データに関しては後述の演出役物制御データ更新処理（ステップ０７７）で作成される。
【０２４８】
次いで、ＬＥＤデータ更新処理を行う（ステップＳ０７５）。このＬＥＤデータ更新処理では、上記演出シナリオデータと演出シナリオタイマとに基づき、装飾ランプ部１３やＬＥＤなどの光表示装置用のＬＥＤデータを作成し、サブＲＡＭの指定領域に格納する。ここで作成されたデータは、後述するタイマ割込処理中の演出ＬＥＤ管理処理（図１５のステップＳ０９５）で利用される。
【０２４９】
次いで、サウンド出力処理を行う（ステップＳ０７６）。このサウンド出力処理では、ステップＳ０７４のシナリオ更新処理で作成された音データを取得し、再生する音データが有る場合には、音響制御部（音源ＬＳＩ）を通じてスピーカ１６から効果音を出力させる。これにより、演出シナリオに沿った音演出が実現される。
【０２５０】
次いで、演出役物制御データ更新処理を行う（ステップＳ０７７）。この演出役物制御データ更新処理では、上記演出シナリオデータと演出シナリオタイマとに基づき、可動体役物用のモータの制御データを作成する。ここで作成されたデータは、後述するタイマ割込処理中の演出役物動作管理処理（図１５のステップＳ０９４）で利用される。
【０２５１】
次いで、音源ＬＳＩなどの誤作動を監視するノイズ対策管理処理を行う（ステップＳ０７８）。誤作動によりプログラムが暴走状態となった場合は、ウォッチドッグタイマがタイムアップし、ＣＰＵが自動的にリセットされて上記暴走状態から復帰する。これにより、メインループ処理を終了して、次のメインループ更新周期が到来するまで、ステップ０７９の演出用ソフト乱数更新処理を行う。
【０２５２】
（コマンド受信割込処理：図１４）
次に図１４を参照して、コマンド受信割込処理について説明する。図１４は、演出制御側のコマンド受信割込処理を示すフローチャートである。このコマンド受信割り込み処理は、主制御部４００から演出制御コマンドを受信した場合、後述する演出制御側タイマ割込処理（図１５）よりも優先的に実行される。
【０２５３】
まず演出制御部４１０（サブＣＰＵ）は、図１３に示すメイン処理実行中に主制御部４００側からのストローブ信号に基づく割込みが生じると、レジスタの内容をスタック領域に退避させて（ステップＳ０８１）、受信した演出制御コマンドをサブＲＡＭのコマンド受信バッファに格納し（ステップＳ０８２）、退避していたレジスタの内容を復帰させる（ステップＳ０８３）。これにより、コマンド受信割込処理を終了して、割込み前の上記演出制御部側メイン処理に戻り、次の上記ストローブ信号に基づく割込みが発生するまで演出制御側メイン処理を行う。このように、主制御部４００から送られてくる各種演出制御コマンドを受けた場合、このコマンド受信割込処理が実行されて、演出制御コマンドを受信した時点で、そのコマンドがコマンド受信バッファに格納される。
【０２５４】
（演出制御側タイマ割込処理：図１５）
次に図１５を参照して、演出制御側のタイマ割込処理について説明する。図１５は、演出制御側タイマ割込処理を示すフローチャートである。この演出制御側タイマ割込処理は、ＣＴＣからの一定時間（１ｍｓ程度）ごとの割込みで起動され、演出制御側メイン処理実行中に割り込んで実行される。
【０２５５】
図１５において、演出制御部４１０（サブＣＰＵ）は、タイマ割込みが生じると、レジスタの内容をスタック領域に退避させた後（ステップＳ０９１）、演出ボタン入力管理処理を行う（ステップＳ０９２）。この演出ボタン入力管理処理では、遊技者参加型のボタン演出用に利用される演出ボタン（図示せず）からの操作（ＯＮ操作）検出信号の入力の有無を監視し、当該操作検出信号を受信したことを確認した場合、その検出情報をサブＲＡＭの所定領域に格納する。
【０２５６】
次いで、液晶コマンド送信処理を行う（ステップＳ０９３）。この液晶コマンド送信処理では、図１３の演出制御側メイン処理中のシナリオ更新処理（ステップＳ０７４）で作成された液晶コマンドが有る場合には、表示制御部（液晶制御ＣＰＵ）に液晶コマンドを送信して、液晶表示装置６に対する画像表示制御を実行させる。これにより、演出シナリオに沿った画像演出が実現される。
【０２５７】
次いで、演出役物動作管理を行う（ステップＳ０９４）。この演出役物動作管理では、演出役物制御データ更新処理（ステップＳ０７７）で作成された可動体役物用のモータ制御データに基づき、駆動制御部を通じて可動体役物モータ（図示せず）に制御信号を出力する。これにより、演出シナリオに沿った可動体役物による視覚的演出が実現される。
【０２５８】
次いで、演出ＬＥＤ管理を行う（ステップＳ０９５）。この演出ＬＥＤ管理では、ＬＥＤデータ更新処理（ステップＳ０７５）で作成されたＬＥＤデータに基づき、光表示制御部を通じて装飾ランプ部４５やＬＥＤを点灯点滅させる。これにより、演出シナリオに沿った光演出が実現される。
【０２５９】
次いで、メインループ更新周期を管理するメインループ更新処理を行う（ステップＳ０９６）。このメインループ更新処理では、メインループ更新周期用カウンタを割込みごとに更新する（メインループ更新周期用カウンタ＋１）。メインループ更新周期用カウンタは、たとえばインクリメント処理によって１６の倍数の範囲（たとえば、０〜３１）を循環するカウンタである。
【０２６０】
以上のステップＳ０９１〜ステップＳ０９６の処理を終えた後、退避していたレジスタの内容を復帰させる（ステップＳ０９７）。これにより、このタイマ割込処理を終了して、割込み前の上記演出制御側メイン処理に戻り、次のタイマ割込みが発生するまで演出制御側メイン処理を行う。
【０２６１】
（受信コマンド解析処理の内容：図１６）
図１６は、図１３の受信コマンド解析処理を示すフローチャートである。
【０２６２】
図１６において、まず、演出制御部４１０は、演出制御コマンドの受信の有無を確認し（ステップＳ６０１）、演出制御コマンドを受信したとこを確認した場合（ステップＳ６０１：ＹＥＳ）、そのコマンドの内容を解析する（ステップＳ６０２）。そして、コマンドの種別に応じて（ステップＳ６０３〜Ｓ６０７）、遊技開始情報コマンド受信時演出処理（ステップＳ６０８）、入賞情報コマンド受信時演出処理（ステップＳ６０９）、払出コマンド受信時演出処理（ステップＳ６１０）、払出終了コマンド受信時演出処理（ステップＳ６１０）、またはその他の演出コマンド受信時の演出処理（ステップＳ６０７）を行う。以下では、本発明に関連性の深い、「遊技開始情報コマンド」、「入賞情報コマンド」、「払出コマンド」、および「払出終了コマンド」を受信した際に実行される演出処理について説明する。
【０２６３】
（遊技開始情報コマンド受信時演出処理：ステップＳ６０８）
まず、遊技開始情報コマンド受信時演出処理（ステップＳ６０８）について説明する。
この遊技開始情報コマンド受信時演出処理では、遊技開始情報コマンドに含まれる内部抽選結果情報に基づき行われる演出処理として、主として、以下の各演出処理が含まれる。
【０２６４】
遊技開始情報コマンド受信時演出処理には、ＡＴ抽選契機役の当選情報に基づく「ＡＴ抽選処理」や、ＡＴ抽選結果に基づき、ＡＴ遊技移行のために必要な設定処理を行う「遊技開始時ＡＴ遊技移行設定処理」や、抽選結果情報に関連する演出として、当選役報知演出、期待演出、または状態報知演出などを現出させるための演出データの設定処理を行う「遊技開始時演出処理」や、アシスト報知を現出させるための演出データの設定処理を行う「アシスト報知演出処理」などが含まれる。また上記遊技開始時ＡＴ遊技移行設定処理には、ＡＴ抽選に当選したことを条件に、現在の演出状態を、特殊リプレイのアシスト報知許容状態とする‘前兆演出状態’に移行設定する「前兆状態演出設定処理」が含まれ、この前兆演出状態中にリプレイ２またはリプレイ３が当選した場合に、上記アシスト報知演出処理において、特殊リプレイのアシスト報知を現出させるための演出処理が行われる。なお、特殊リプレイは引き込み率１００％となっているため、特殊リプレイのアシスト報知が発生した当該ゲームで特殊リプレイが必ず入賞して、次回ゲームからＡＴ遊技に移行されることになる。
【０２６５】
（入賞情報コマンド受信時演出処理：ステップＳ６０９）
次に、入賞情報コマンド受信時演出処理（ステップＳ６０９）について説明する。この入賞情報コマンド受信時演出処理では、入賞情報コマンドに含まれる遊技結果情報に基づき行われる演出処理として、主として、以下の各演出処理が含まれる。
【０２６６】
入賞情報コマンド受信時演出処理には、入賞演出を現出させるための演出データの設定処理を行う「全回胴停止時演出処理」や、不正規手順によるペナルティを発生させるための「ペナルティ設定処理」や、特殊リプレイ入賞に起因して次回ゲームからＡＴ遊技に移行設定をする「入賞時ＡＴ遊技移行設定処理」などが含まれる。
【０２６７】
（全回胴停止時演出処理：ステップＳ６０９）
ここで本発明と関連の深い、上記「全回胴停止時演出処理」に着目して説明する。図１７は、全回胴停止時演出処理を示すフローチャートである。なお、図１７（Ａ−１）は、本実施形態に係る全回胴停止時演出処理を、図１７（Ａ−２）は、その変形例に係る全回胴停止時演出処理を示すフローチャートである。
【０２６８】
先ず、図１７（Ａ−１）に示す全回胴停止時演出処理について説明する。
【０２６９】
図１７（Ａ−１）おいて、まず演出制御部４１０は、入賞情報コマンドに含まれる情報に基づき、今回の遊技結果が１枚ＡＴ役であるか否かを判定する（ステップＳ７０１）。１枚ＡＴ役でない場合（ステップＳ７０１：ＮＯ）、入賞演出の現出が必要な入賞役（停止図柄種別）であれば、その入賞役種別（停止図柄種別）に応じた入賞演出（遊技メダルの払い出しを伴う入賞役については払出演出）を現出させるための演出データを設定する（ステップＳ７０２：停止図柄別入賞演出設定処理）。
【０２７０】
一方、１枚ＡＴ役である場合（ステップＳ７０１：ＹＥＳ）、何もせずに全回胴停止時演出処理を抜ける。これにより、入賞情報コマンドによる１枚ＡＴ役に係る払出演出（入賞音、入賞役報知光演出、図柄照射演出）が現出されないようになっている。また、後述の払出コマンドを受信した場合にも、１枚ＡＴ役に係るメダル払出音は発生されないようになっており（後述の図１８参照）、これにより、１枚ＡＴ役が入賞した場合の演出手段による一連の払出演出が現出されないようになっている。
【０２７１】
（全回胴停止時演出処理の変形例）
次に、図１７（Ａ−２）に示す全回胴停止時演出処理について説明する。図１７（Ａ−２）に示す全回胴停止時演出処理のＳ７０１〜Ｓ７０２の処理内容は、図１７（Ａ−１）に示す全回胴停止時演出処理中のステップＳ７０１〜Ｓ７０２の処理内容と同じであるので、同一のステップ番号を付し、その説明は重複記載を避けるために省略する。
【０２７２】
図１７（Ａ−２）おいて、１枚ＡＴ役である場合（ステップＳ７０１：ＹＥＳ）、１枚ＡＴ役入賞時払出演出設定処理を行う（ステップＳ７０３）。この１枚ＡＴ役入賞時演出設定処理では、ステップＳ７０２における演出処理で行うものとは異なり、ここでは、入賞情報コマンドによる１枚ＡＴ役に係る払出演出のうち、入賞音、または入賞役報知光演出、あるいは図柄照射演出を制限した払出演出を現出させるための演出データを設定する。また後述の払出コマンドを受信した場合は、１枚ＡＴ役に係るメダル払出音は発生されないようになっており（後述の図１８参照）、これにより、１枚ＡＴ役が入賞した場合、たとえば、既に説明した「特定音演出不実行型払出演出」、「音演出不実行型払出演出」または「特定光演出不実行型払出演出」、あるいは「音光演出不実行型払出演出」、といった特定の演出態様が制限された「１枚ＡＴ役専用払出演出」を現出することができる。
【０２７３】
（払出コマンド受信時演出処理：ステップＳ６１０）
次に、払出コマンド受信時演出処理（ステップＳ６１０）について説明する。図１８は、払出コマンド受信時演出処理を示すフローチャートである。なお、図１８は、本実施形態に係る払出コマンド受信時演出処理を示すフローチャートである。
【０２７４】
図１８において、まず演出制御部４１０は、今回の遊技結果が１枚ＡＴ役であるか否かを判定する（ステップＳ７５１）。１枚ＡＴ役でない場合（ステップＳ７５１：ＮＯ）、メダル払出音を現出させるための演出データ（音データ）を設定する（ステップＳ７５２：メダル払出音演出設定処理）。これにより、遊技メダルの払い出しに伴い、メダル払出音が発生される。
【０２７５】
一方、１枚ＡＴ役である場合（ステップＳ７０１：ＹＥＳ）、何もせずに払出コマンド受信時演出処理を抜ける。これにより、１枚ＡＴ役に係るメダル払出音は発生されない。
【０２７６】
以上に説明したコマンド種別に対応した各種の演出処理、または上記した演出制御コマンド以外のコマンドを受信した場合における「その他のコマンド受信時の演出処理（ステップＳ６０７）」を終えると、受信コマンド解析処理を抜けて、図１３のステップＳ０１９のシナリオ更新処理に進む。また、受信した演出制御コマンドが無い場合（ステップＳ６０１：ＮＯ）、何もせずに受信コマンド解析処理を抜けて、図１３のステップＳ０１９のシナリオ更新処理に進む。
【０２７７】
以上に説明した実施形態では機械的に駆動される回胴を利用した回胴式遊技機について説明した。しかし本発明はこれに限らず、たとえば、画像表示による演出的な回胴を利用した演出的な回胴式遊技機にも適用することができる。また上記実施形態では、遊技用価値として、遊技メダルを利用するものについて説明したが本発明はこれに限らず、たとえば、遊技球を利用したものであっても良いし、電磁気的記録（電子的方式、磁気的方式、その他人の知覚によっては認識することができない方式で作られる記録であって、電子計算機による情報処理の用に供されるもの）を利用した遊技媒体を利用したものであっても良い。
【産業上の利用可能性】
【０２７８】
本発明は、停止操作手順により入賞役が異なるＡＴ役を設けた回胴式遊技機に有用である。
【符号の説明】
【０２７９】
１    遊技機筐体、
２    前扉、
３    表示窓（回胴視認部）、
３ａ    入賞ライン、
４    表示窓（液晶画面視認部）、
５ａ、５ｂ、５ｃ    回胴、
６    液晶表示装置、
６ａ    表示画面（液晶画面）、
７    メダル投入口、
７ｃ    ブロッカーソレノイド
８    ＭＡＸベットボタン、
９    １ベットボタン、
１０    クレジット精算ボタン、
１１    回胴回転始動レバー、
１２ａ、１２ｂ、１２ｃ    回胴回転停止ボタン、
１３    装飾ランプ、
１４    操作パネル部、
１５    返却ボタン、
１６    スピーカ、
１７    装飾パネル部、
１８    メダル受け皿、
１９    メダル払出口、
８１    遊技開始表示ＬＥＤ、
８２    メダル投入表示ＬＥＤ、
８３    再遊技作動ＬＥＤ、
８４    ＭＡＸベットＬＥＤ、
８５    投入枚数表示ＬＥＤ、
８６    クレジット枚数表示器
８７    払出枚数表示器
２１０    回胴装置、
３１０    外部集中端子基板、
３３０    回胴中継基板、
３４０    演出Ｉ／Ｆ基板、
３４０ａ    入力バッファ回路、
３５０    払出中継基板、
３６０    停止スイッチ基板、
３７０    遊技中継基板、
３８０    ＬＥＤ基板、
４００    主制御基板（主制御部）、
４０１    マイクロコンピュータ（主制御基板側）、
４０１ａ    メインＲＯＭ、
４０１ｂ    メインＲＡＭ、
４０１ｃ    メインＣＰＵ、
４０１ｄ    ＣＴＣ、
４０１ｅ    割り込みコントローラ回路、
４０２    Ｉ／Ｏポート回路、
４０３    カウンタ回路、
４０４    Ｉ／Ｆ回路、
４０４ａ    出力バッファ回路、
４０５    Ｉ／Ｆ回路、
４０６    Ｉ／Ｆ回路、
４０７    モータ駆動回路、
４０８    スイッチ入力回路、
４１０    演出制御部、
４２０    演出制御基板、
４２１    マイクロコンピュータ（演出制御基板側）、
４２１ａ    サブＲＯＭ、
４２１ｂ    サブＲＡＭ、
４２１ｃ    サブＣＰＵ、
４２１ｄ    ＣＴＣ、
４２１ｅ    割り込みコントローラ回路、
４２２    Ｉ／Ｏポート回路、
４２３    カウンタ回路、
４３０    回胴設定基板、
４５０    払出制御基板、
４６０    液晶制御基板、
５００    ホッパーユニット、
５１０    ホッパーモータ、
５２０    メダル払出センサ。
【図１】
0005865571.tif 000002
【図２】
0005865571.tif 000003
【図３】
0005865571.tif 000004
【図４】
0005865571.tif 000005
【図５】
0005865571.tif 000006
【図６】
0005865571.tif 000007
【図７】
0005865571.tif 000008
【図８】
0005865571.tif 000009
【図９】
0005865571.tif 000010
【図１０】
0005865571.tif 000011
【図１１】
0005865571.tif 000012
【図１２】
0005865571.tif 000013
【図１３】
0005865571.tif 000014
【図１４】
0005865571.tif 000015
【図１５】
0005865571.tif 000016
【図１６】
0005865571.tif 000017
【図１７】
0005865571.tif 000018
【図１８】
0005865571.tif 000019